(57)【要約】      （修正有）【課題】管理者の利便性を向上させるとともに管理者の管理操作を簡素化できる遊技機を提供する。【解決手段】管理者による操作により基準音量を設定する「基準音量設定」画面に移行し、基準音量「１」〜「５」のうちから演出操作部の上下ボタンにおいて選択し、決定スイッチが操作されて基準音量が設定されたときには、引き続いて、遊技者による音量調整を許可するか否かの「遊技者音量調整許否設定」画面に移行する一方、前面扉を閉状態とすることにより基準音量が設定されたときには「遊技者音量調整許否設定」画面に移行させずに音量調整関連処理を終了する。【選択図】図２２
2020156805.tif 000002
【特許請求の範囲】
【請求項１】
遊技を行うことが可能であり、遊技の結果に応じて特典を付与可能な遊技機であって、
所定の演出を実行する演出手段と、
前記演出手段による演出効果の度合いを複数の度合いのうちから設定する度合設定手段と、
前記度合設定手段により設定された度合いで前記演出手段を制御する演出制御手段と、
前記演出手段を制御する度合いを遊技者による操作に応じて設定可能な第１設定可能状態と、前記演出手段を制御する度合いを管理者による操作に応じて設定可能な第２設定可能状態とを含む複数種類の状態のうちのいずれかに制御する状態制御手段とを備え、
前記度合設定手段は、前記第２設定可能状態においては、選択操作に応じて前記演出手段を制御する度合いを選択し、当該選択している度合いを設定操作に応じて設定し、
前記設定操作は、第１設定操作と、当該第１設定操作とは異なる第２設定操作とを含み、
前記状態制御手段は、前記第２設定可能状態において前記度合いを設定する契機となった設定操作が前記第１設定操作であるときには当該度合いを設定した後において、前記第１設定可能状態への移行を許容するか否かを特定するための許否情報を管理者による操作に応じて設定可能な許否設定状態とする一方、前記設定操作が前記第２設定操作であるときには前記許否設定状態とすることなく当該第２設定可能状態を終了する、遊技機。
【請求項２】
前記度合設定手段は、管理者による操作に応じて前記第２設定可能状態に制御されたときであっても、当該第２設定可能状態に制御される前から設定されている度合いを維持する、請求項１に記載の遊技機。
【請求項３】
前記許否設定状態とすることなく前記第２設定可能状態が終了した後においては、当該第２設定可能状態に制御されるまでに設定されていた許否情報を維持する、請求項１または請求項２に記載の遊技機。
【請求項４】
前記状態制御手段は、前記第２設定可能状態において現在選択されており前記設定操作に応じて設定されることとなる度合いを特定可能となる選択度合画像を表示する表示手段を含み、前記第２設定可能状態における前記第１設定操作に応じて前記度合いが設定された後においても前記表示手段による前記選択度合画像の表示を維持したまま、前記許否設定状態に制御する、請求項１〜請求項３のいずれかに記載の遊技機。
【請求項５】
遊技の進行に応じた情報であって演出の実行に用いる遊技情報を所定の演出用記憶領域に記憶する第１記憶手段と、
設定値を変更（以下、設定変更という）する設定値変更手段と、
前記設定変更に基づいて、前記所定の演出用記憶領域を初期化する初期化手段と、
前記第２設定可能状態において設定される度合いを特定可能な度合情報と前記許否設定状態において設定される許否情報とを、前記所定の記憶領域とは異なる記憶領域において記憶する第２記憶手段とを備える、請求項１〜請求項４のいずれかに記載の遊技機。
【請求項６】
遊技機に異常が発生しているか否かを判定する異常判定手段と、
前記異常判定手段によって判定された異常を所定の解除条件の成立に基づいて当該異常を解除する異常解除手段と、を備え、
前記第２設定可能状態において設定される度合いを特定可能な度合情報と前記許否設定状態において設定される許否情報とについては、前記異常判定手段によって判定された異常が、前記異常解除手段によって解除されたときであっても解除前の情報が維持される、請求項１〜請求項４のいずれかに記載の遊技機。
【請求項７】
前記状態制御手段は、開閉可能に設けられた開閉体が開放状態であるときに所定操作を受け付けることにより、前記第２設定可能状態に制御する、請求項１〜請求項６のいずれかに記載の遊技機。
【請求項８】
前記開閉体が開放状態であるときに操作可能となる管理者操作手段への操作を受け付けることにより、設定値にかかわる処理を実行可能な設定関連状態に制御する設定関連状態制御手段を備え、
前記状態制御手段は、前記開閉体が前記開放状態であるが前記設定関連状態に制御されていないときに前記所定操作を受け付けることにより、前記第２設定可能状態に制御する、請求項７に記載の遊技機。
【請求項９】
遊技機に異常が発生しているか否かを判定する異常判定手段と、
前記異常判定手段により異常が発生していると判定されているときに異常報知を行う異常報知手段とを備え、
前記異常報知手段は、前記開閉体が開放状態であるときに操作可能となる管理者操作手段への操作を受け付けることによる異常解除に基づいて前記異常報知を終了し、
前記状態制御手段は、前記開閉体が前記開放状態であるときに前記所定操作を受け付けることにより、前記異常報知が行われているときであっても、前記第２設定可能状態に制御する、請求項７または請求項８に記載の遊技機。
【発明の詳細な説明】
【技術分野】
【０００１】
本発明は、遊技を行うことが可能であり、遊技の結果に応じて特典を付与可能な遊技機に関する。
【背景技術】
【０００２】
遊技機の一例として、複数種類の図柄が配列されたリールを複数備え、スタートスイッチが操作されることにより役抽選を行うとともにリールの回転を開始し、役抽選の結果とストップスイッチの操作態様（押し順、操作タイミング等）とに基づいてリールの回転を停止し、すべてのリールが停止したときの入賞ライン上の図柄の組合せに応じて特典を付与可能なスロットマシンが存在する。また、遊技者にとって有利な状態として、所定の役（たとえば、小役あるいはリプレイ等）の当選確率を向上させるボーナスやＲＴ（Replay Time）、役抽選の結果が複数の役に当選する結果となったときに特典がより大きな役を入賞させるための遊技者にとって有利となる操作情報を報知するＡＴ（Assist Time）が設けられているスロットマシンも存在する。また、パチンコ球を遊技領域に発射して、遊技領域に設けられている始動入賞口に入賞することにより複数種類の図柄を可変表示させた後に停止させて図柄組合せを表示するパチンコ遊技機などが知られている。
【０００３】
このような遊技機において、遊技者が遊技機に関する遊技項目について設定・表示できる遊技者メニューと、遊技店の店員（管理者）が遊技機に関する管理項目について設定・表示できる管理者メニューとに制御可能なものがある。また、遊技中に出力される効果音等の音量を、管理者により設定可能とするとともに、遊技者によっても設定可能とするものがあった（たとえば、特許文献１参照）。
【先行技術文献】
【特許文献】
【０００４】
【特許文献１】特開２０１７−２０５２４４号公報
【発明の概要】
【発明が解決しようとする課題】
【０００５】
従来の遊技機において管理者により設定可能な管理項目には、一旦設定すると、遊技店における方針等が変更されなければ、設定し直す必要性が低い管理項目も含まれる。一方で、管理項目を所定の順に表示させて設定させるような場合においては、設定し直す必要性が低い管理項目についても管理者に対して一律に表示されてしまう。その結果、管理者に対して煩雑な印象を抱かせてしまうとともに、設定し直す必要性が低い管理項目について誤って設定変更させてしまう虞があった。
【０００６】
本発明は、上記課題に鑑みてなされたものであり、管理者の利便性を向上させるとともに管理者の管理操作を簡素化できる遊技機を提供することを目的とする。
【課題を解決するための手段】
【０００７】
本発明のある局面に従う遊技機は、遊技を行うことが可能であり、遊技の結果に応じて特典を付与可能な遊技機であって、所定の演出を実行する演出手段と、前記演出手段による演出効果の度合いを複数の度合いのうちから設定する度合設定手段と、前記度合設定手段により設定された度合いで前記演出手段を制御する演出制御手段と、前記演出手段を制御する度合いを遊技者による操作に応じて設定可能な第１設定可能状態と、前記演出手段を制御する度合いを管理者による操作に応じて設定可能な第２設定可能状態とを含む複数種類の状態のうちのいずれかに制御する状態制御手段とを備え、前記度合設定手段は、前記第２設定可能状態においては、選択操作に応じて前記演出手段を制御する度合いを選択し、当該選択している度合いを設定操作に応じて設定し、前記設定操作は、第１設定操作と、当該第１設定操作とは異なる第２設定操作とを含み、前記状態制御手段は、前記第２設定可能状態において前記度合いを設定する契機となった設定操作が前記第１設定操作であるときには当該度合いを設定した後において、前記第１設定可能状態への移行を許容するか否かを特定するための許否情報を管理者による操作に応じて設定可能な許否設定状態とする一方、前記設定操作が前記第２設定操作であるときには前記許否設定状態とすることなく当該第２設定可能状態を終了する。
【０００８】
このような構成によると、第２設定可能状態において演出効果の度合いを設定する設定操作を、第１設定操作とすることにより引き続き許否情報が設定可能となり、第２設定操作とすることにより許否設定状態とすることなく第２設定可能状態を終了させることができる。このため、必要に応じた設定操作を行うことにより、不必要なときにまで許否設定状態に移行させてしまうことを防止できる。その結果、管理者の利便性を向上させるとともに管理者の管理操作を簡素化できる。
【０００９】
好ましくは、前記度合設定手段は、管理者による操作に応じて前記第２設定可能状態に制御されたときであっても、当該第２設定可能状態に制御される前から設定されている度合いを維持する。
【００１０】
このような構成によると、第２設定可能状態に制御されることのみによって度合いが変更されてしまう（例えばデフォルトの度合いが設定されてしまう）ことがなく、管理者の意図に反して気付かない間に度合いが変更されてしまうような不都合の発生を防止できる。
【００１１】
好ましくは、前記許否設定状態とすることなく前記第２設定可能状態が終了した後においては、当該第２設定可能状態に制御されるまでに設定されていた許否情報を維持する。
【００１２】
このような構成によると、第２設定可能状態に制御されることのみによって許否情報が変更されてしまう（例えばデフォルトの許否情報が設定されてしまう）ことがなく、管理者の意図に反して気付かない間に許否情報が変更されてしまうような不都合の発生を防止できるとともに、第２設定可能状態に制御させたとしても必要に応じて許否情報を設定することで事足りるため不必要な手間を生じさせてしまうことを防止できる。
【００１３】
好ましくは、前記状態制御手段は、前記第２設定可能状態において現在選択されており前記設定操作に応じて設定されることとなる度合いを特定可能となる選択度合画像を表示する表示手段を含み、前記第２設定可能状態における前記第１設定操作に応じて前記度合いが設定された後においても前記表示手段による前記選択度合画像の表示を維持したまま、前記許否設定状態に制御する。
【００１４】
このような構成によると、許否設定状態においても選択度合画像を確認できるため、設定された度合いを確認でき、管理者の意図していない度合いに設定されたまま遊技が再開されてしまうことを防止できる。
【００１５】
好ましくは、遊技の進行に応じた情報であって演出の実行に用いる遊技情報を所定の演出用記憶領域に記憶する第１記憶手段と、設定値を変更（以下、設定変更という）する設定値変更手段と、前記設定変更に基づいて、前記所定の演出用記憶領域を初期化する初期化手段と、前記第２設定可能状態において設定される度合いを特定可能な度合情報と前記許否設定状態において設定される許否情報とを、前記所定の記憶領域とは異なる記憶領域において記憶する第２記憶手段とを備える。
【００１６】
このような構成によると、度合情報と許否情報とは設定変更されたとしても初期化されずに維持される。このため、設定変更のたびに、度合情報や許否情報を設定し直すような手間を生じさせてしまうことを防止できる。また、設定変更されたか否かが度合情報や許否情報の変更状態から特定されてしまうような不都合の発生を防止できる。
【００１７】
好ましくは、遊技機に異常が発生しているか否かを判定する異常判定手段と、前記異常判定手段によって判定された異常を所定の解除条件の成立に基づいて当該異常を解除する異常解除手段と、を備え、前記第２設定可能状態において設定される度合いを特定可能な度合情報と前記許否設定状態において設定される許否情報とについては、前記異常判定手段によって判定された異常が、前記異常解除手段によって解除されたときであっても解除前の情報が維持される。
【００１８】
このような構成によると、度合情報と許否情報とは異常が解除されたとしても初期化されずに維持される。このため、異常解除のたびに、度合情報や許否情報を設定し直すような手間を生じさせてしまうことを防止できる。
【００１９】
好ましくは、前記状態制御手段は、開閉可能に設けられた開閉体が開放状態であるときに所定操作を受け付けることにより、前記第２設定可能状態に制御する。
【００２０】
このような構成によると、管理者とは異なる例えば遊技者により第２設定可能状態に制御されてしまい、管理者の意図していない設定状態で遊技が行われてしまうことを防止できる。
【００２１】
好ましくは、前記開閉体が開放状態であるときに操作可能となる管理者操作手段への操作を受け付けることにより、設定値にかかわる処理を実行可能な設定関連状態に制御する設定関連状態制御手段を備え、前記状態制御手段は、前記開閉体が前記開放状態であるが前記設定関連状態に制御されていないときに前記所定操作を受け付けることにより、前記第２設定可能状態に制御する。
【００２２】
このような構成によると、設定関連状態において第２設定可能状態に制御されてしまい、管理者の注意力が分散されることにより設定値設定や設定値確認等の設定値にかかわる管理を誤って行ってしまうことを防止できる。
【００２３】
好ましくは、遊技機に異常が発生しているか否かを判定する異常判定手段と、前記異常判定手段により異常が発生していると判定されているときに異常報知を行う異常報知手段とを備え、前記異常報知手段は、前記開閉体が開放状態であるときに操作可能となる管理者操作手段への操作を受け付けることによる異常解除に基づいて前記異常報知を終了し、前記状態制御手段は、前記開閉体が前記開放状態であるときに前記所定操作を受け付けることにより、前記異常報知が行われているときであっても、前記第２設定可能状態に制御する。
【００２４】
このような構成によると、異常報知中に異常解除すべく開閉体を開放状態とした際に、合せて第２設定可能状態に制御させることが可能となるため、管理者の操作性を向上させることができる。
【図面の簡単な説明】
【００２５】
【図１】スロットマシンの正面図である。
【図２】スロットマシンの前面扉を開放した状態の斜視図である。
【図３】リールの展開図である。
【図４】スロットマシンの電気的構成を示すブロック図である。
【図５】遊技制御処理を説明するための図である。
【図６】役名称および図柄組合せ等について説明するための図である。
【図７】当選役グループおよび役構成等について説明するための図である。
【図８】遊技状態の遷移について説明するための図である。
【図９】管理者メニュー画面および遊技者メニュー画面各々の表示契機、終了契機、およびメニュー表示中のエラー発生時の制御内容を説明するための図である。
【図１０】管理者メニュー状態中における管理者メニュー画面の遷移を説明するための図である。
【図１１】遊技者メニュー状態中における遊技者メニュー画面の遷移を説明するための図である。
【図１２】演出カスタマイズ画面の表示例を説明するための図である。
【図１３】電源投入時処理を説明するためのフローチャートである。
【図１４】タイマ割込処理を説明するためのフローチャートである。
【図１５】エラー処理を説明するためのフローチャートである。
【図１６】設定変更処理を説明するためのフローチャートである。
【図１７】サブ制御部処理を説明するためのフローチャートである。
【図１８】サブ側設定変更状態処理を説明するためのフローチャートである。
【図１９】サブ側遊技待機処理を説明するためのフローチャートである。
【図２０】エラー報知処理を説明するためのフローチャートである。
【図２１】音量調整関連処理を説明するためのフローチャートである。
【図２２】基準音量設定画面および遊技者音量調整許否設定画面の一例を説明するための図である。
【図２３】基準音量設定処理において設定可能となる基準音量を説明するための図である。
【図２４】各種エラーについて説明するための図である。
【図２５】変形例として液晶表示器における表示例を説明するための図である。
【発明を実施するための形態】
【００２６】
以下に、図面を参照しつつ、本発明の実施形態について説明する。本発明に係る遊技機の具体例として、メダルを遊技媒体として用いて遊技を実行可能なスロットマシンを挙げて説明する。しかし、遊技機は、このようなスロットマシンに限定されず、遊技球を遊技媒体として用いて遊技を実行可能な遊技機や、遊技媒体（メダルなど有体物の価値）を用いるものではなく内部的に付与される得点（電磁的方法により記録された情報など無体物の価値）を用いて遊技を実行可能な遊技機などの他の遊技機であってもよい。
【００２７】
＜スロットマシンの構成例＞
図１および図２を参照してスロットマシンの全体構成を説明する。図１は、スロットマシンの正面図である。図２は、スロットマシンの前面扉が開放された状態を示す斜視図である。
【００２８】
スロットマシン１は、前面に開口を有する箱状の筐体３と、筐体３の一辺において開閉自在に取り付けられた前面扉５とを含む部材から構成される。筐体３の前面は、前面扉５が筐体３に対して閉じられることにより閉塞される。前面扉５は、遊技場の管理者が管理する扉用鍵により筐体３に対して施錠・解除が可能となる。前面扉５が筐体３に対して閉じられた状態であるか否かは、扉センサ２０により検出される。
【００２９】
図１に示すように、前面扉５の中央部分には、表示窓７が設けられている。表示窓７からは、複数種類の図柄が配列されているリール１１Ｌ、１１Ｍ、１１Ｒ（以下、まとめてリール１１Ｌ〜１１Ｒともいう）を視認できる。リール１１Ｌ〜１１Ｒが回転すると、表示窓７からは、リール１１Ｌ〜１１Ｒ各々に配列されている図柄が可変表示している状態を視認できる。このように、表示窓７およびリール１１Ｌ〜１１Ｒにより、複数の図柄を可変表示する可変表示部１３が形成される。
【００３０】
可変表示部１３は、複数の可変表示列１０を備えている。具体的に、可変表示部１３は、表示窓７のうちリール１１Ｌの前方に相当する部分とリール１１Ｌとから構成される左可変表示列１０Ｌ、表示窓７のうちリール１１Ｍの前方に相当する部分とリール１１Ｍとから構成される中可変表示列１０Ｍ、および、表示窓７のうちリール１１Ｒの前方に相当する部分とリール１１Ｒとから構成される右可変表示列１０Ｒを備えている。リール１１Ｌ〜１１Ｒが停止している状態において、左可変表示列１０Ｌ、中可変表示列１０Ｍ、および右可変表示列１０Ｒ各々は、上段・中段・下段に図柄を停止表示できる。このため、表示窓７からは、９つの図柄を視認できる。
【００３１】
本実施形態では、役の入賞判定対象となる入賞ラインとして、左可変表示列１０Ｌの下段、中可変表示列１０Ｍの下段、右可変表示列１０Ｒの下段により構成されるいわゆる下段ラインが設定されている。表示窓７には、入賞ラインＮＬが描かれている。
【００３２】
前面扉５の表示窓７の上方には、液晶表示器２７が設けられている。液晶表示器２７は、遊技（ゲーム）の進行に応じて、所定の画像を表示することにより演出を実行する。また、前面扉５の液晶表示器２７の上方には、予め定められた役の図柄組合せや払出枚数等が刷られた説明パネル２９が設けられ、さらに、説明パネル２９の上方および左右各々には、ランプ部３３Ｌ、３３Ｍ、３３Ｒが設けられている。ランプ部３３Ｌ、３３Ｍ、３３Ｒは、ＬＥＤなどの光源を備え、遊技の進行に応じて発光することにより演出を実行する。
【００３３】
前面扉５の表示窓７の左側には、クレジット表示器４５と、ペイアウト表示器４６と、報知用表示器６０と、有利期間報知ランプ８０とが配設されている。クレジット表示器４５は、遊技者所有のメダルのうち、スロットマシン１内において貯留（記憶）されているメダルの枚数であるクレジットを表示する。クレジットの上限枚数は５０に設定されている。
【００３４】
ペイアウト表示器４６は、役の入賞が発生したときにメダル（遊技媒体）の払出枚数を表示するとともに、エラー情報や設定示唆情報など各種情報の表示にも兼用される表示器である。設定示唆情報とは、設定値１〜６のうちの少なくともいずれかの設定値を特定可能にする情報であって、設定されている設定値を示唆する情報をいう。報知用表示器６０は、遊技者にとって有利となる操作態様（例えば、操作タイミング、押し順など。以下、有利操作態様ともいう）や役抽選の結果などを特定するための所定情報を報知する表示器である。有利期間報知ランプ８０は、有利操作態様を報知可能なＡＴ遊技を許容できる有利な期間（以下、有利期間という）であることを報知する表示器である。
【００３５】
クレジット表示器４５、ペイアウト表示器４６、および報知用表示器６０は、各々、例えば７セグメントＬＥＤにより構成され、各セグメントの点灯態様に応じて情報を報知する。また、有利期間報知ランプ８０は、例えばＬＥＤにより構成され、有利期間において点灯し、有利期間ではない通常期間において消灯する。
【００３６】
前面扉５の表示窓７の下方には、各種の操作部が設けられている。操作部としては、ベットスイッチ１５、最大ベットスイッチ１７、演出操作部８１、スタートスイッチ１９、精算スイッチ２３、ストップスイッチ２１Ｌ、２１Ｍ、２１Ｒ（以下、まとめてストップスイッチ２１Ｌ〜２１Ｒともいう）、および、メダル投入口２５が設けられている。
【００３７】
ベットスイッチ１５は、クレジットを用いて１枚分のメダルを賭数設定するための操作を検出するスイッチである。最大ベットスイッチ１７は、クレジットを用いて最大賭け枚数分のメダルを賭数設定するための操作を検出するスイッチである。最大賭け枚数とは、１回の遊技（以下、１遊技ともいう）について賭数設定できる最大の枚数（本実施形態では「３」に設定。）をいう。演出操作部８１は、演出に関わる操作を検出するスイッチである。演出に関わる操作には、演出を実行・発展させるための操作、演出モードやキャラクタ等を選択するための操作、および遊技履歴等を表示させる遊技者メニュー状態や設定履歴等を表示させる管理者メニュー状態へ移行させるための操作等を含む。スタートスイッチ１９は、リール１１Ｌ〜１１Ｒ各々を回転させて図柄の可変表示を開始させるための操作を検出するスイッチである。精算スイッチ２３は、クレジットあるいは設定済の賭数に相当する枚数分のメダルを払い出させるための操作を検出するスイッチである。ストップスイッチ２１Ｌ〜２１Ｒは、各々、リール１１Ｌ〜１１Ｒのうちの対応するリールの回転を停止させて図柄の可変表示を停止させるための操作を検出するスイッチである。メダル投入口２５は、遊技者がメダルを投入するための開口である。
【００３８】
演出操作部８１を含む各種スイッチは、各々に対応する操作部（ボタン部）への操作を検出する。各種スイッチに対応する操作部は、光を透過する透過部材から構成されている。また、各種スイッチに対応する操作部の内部には、例えばＬＥＤなどの光源が搭載されており、遊技の進行に応じて操作可能なタイミング（操作を有効に受付けるタイミング）等において発光することにより演出を実行する。
【００３９】
前面扉５における各種の操作部の下方には、キャラクタなどが刷られた下部パネル３５が設けられている。また、下部パネル３５の左右には、それぞれ下部ランプ部３７Ｌ、３７Ｒが設けられている。下部ランプ部３７Ｌ、３７Ｒは、例えばＬＥＤなどの光源を備え、遊技の進行に応じて発光することにより演出を実行する。
【００４０】
また、下部パネル３５の下方には、役入賞の発生等に応じてメダルを払い出すためのメダル払出口３９、および、メダル払出口３９から払い出されるメダルを受けるメダル受け４１が設けられている。メダル払出口３９の左右には、各々、遊技の進行に応じて効果音や音声などを出力することによる演出を行うためのスピーカ３１Ｌ、３１Ｒが設けられている。
【００４１】
次に、スロットマシン１の筐体３の内部構成について説明する。図２に示すように、スロットマシン１の筐体３内の中央には、リール１１Ｌ〜１１Ｒを横並びに収容するためのリールユニット９が設けられている。リールユニット９は、筐体３内の後壁に固定されている。リールユニット９は、リールモータ１４Ｌ、１４Ｍ、１４Ｒ（図４参照。以下、リールモータ１４Ｌ〜１４Ｒともいう。）と、位置センサ５５Ｌ、５５Ｍ、５５Ｒ（図４参照。以下、位置センサ５５Ｌ〜５５Ｒともいう）とを備えている。
【００４２】
リールモータ１４Ｌ〜１４Ｒは、各々、リールユニット９のフレームに対して横並びに固定されており、その回転軸にリール１１Ｌ〜１１Ｒのうちの対応するリールが固定されている。これにより、リールモータ１４Ｌ〜１４Ｒが駆動制御されることにより回転・停止する。リールモータ１４Ｌ〜１４Ｒは、例えばステッピングモータにより構成されている。
【００４３】
位置センサ５５Ｌ〜５５Ｒは、各々、リール１１Ｌ〜１１Ｒに設けられた突起部がリール回転に伴って所定位置を通過したことを検出するためのセンサである。位置センサ５５Ｌ〜５５Ｒは、例えばフォトインタラプタにより構成されている。位置センサ５５Ｌ〜５５Ｒは、各々対応するリールの突起部を検出したときに、そのリールの所定位置の図柄（例えば、図３の図柄番号１９番の図柄）が表示窓７の中段に位置するように構成されている。
【００４４】
リールユニット９の上方には、メイン制御基板６３およびサブ制御基板７３が各々基板ケースに収納された状態で設置されている。基板ケースは、収納されている制御基板などに対して仮に不正が行われた場合、その痕跡を容易に判別可能にするために、たとえば一部の部材を破壊等しなければ制御基板に接触できない構造を有している。また、メイン制御基板６３とサブ制御基板７３とは、基板間を接続する信号線により電気的に接続されている。
【００４５】
リールユニット９の下方には、ホッパーユニット４３が設けられている。ホッパーユニット４３は、ホッパー容器４２と、満タンセンサ５８（図４参照）と、ホッパーモータ５７（図４参照）と、払出センサ５４（図４参照）とを備えている。
【００４６】
ホッパー容器４２は、メダル投入口２５から受け入れられたメダルを貯留するための容器である。満タンセンサ５８は、ホッパー容器４２の所定位置に設けられ、ホッパー容器４２に貯留されたメダルが所定量に達した満タン状態であることを検出するセンサである。
【００４７】
ホッパーモータ５７は、所定の払出条件が成立したときに駆動し、ホッパー容器４２に貯留されたメダルを所定枚数排出するために駆動するモータである。ホッパーモータ５７は、たとえばＤＣモータ（Direct Current Motor）により構成されている。払出センサ５４は、ホッパーモータ５７によりホッパー容器４２から排出されるメダルを１枚ずつ検出するセンサである。払出センサ５４により検出されたメダルは、前面扉５の裏面側の下方に設けられたメダルシュート４７を介して、メダル払出口３９から払い出される。
【００４８】
ホッパーユニット４３の左側方には、スロットマシン１が備える各種装置に電力を供給するための電源ユニット４９が配設されている。電源ユニット４９には、電源スイッチ５０、リセットスイッチ５２、および、変更処理開始スイッチ５６が配設されている。
【００４９】
電源スイッチ５０は、スロットマシン１への電力供給の有無を切り換えるスイッチである。リセットスイッチ５２は、設定値を変更可能な設定変更処理中において設定値の切り換え操作を検出するためのスイッチである。リセットスイッチ５２は、エラーが発生した際のエラー解除するためのスイッチとしても用いられる。変更処理開始スイッチ５６は、設定変更処理用のキーシリンダからなり、設定変更処理に移行させるための操作を検出するスイッチである。変更処理開始スイッチ５６を含む筐体３の内部に設けられているスイッチは、前面扉５を開放しているときに操作可能となるスイッチである。このため、基本的には、遊技場の管理者のみが操作可能となる。
【００５０】
設定値は、遊技者にとっての有利度合いを特定するための値である。具体的に、設定値は、役抽選において予め定められている役に当選する当選確率を特定するための値である。役抽選においては、設定されている設定値に応じた当選確率を用いることにより役に当選する確率を異ならせることができる。つまり、設定されている設定値が異なるときには、同じ役であっても、役抽選において当選する当選確率が異なる場合が生じる。その結果、設定されている設定値に応じて、遊技を所定回数実行する間に払出されるメダルの枚数が異なり、その結果、払出率を異ならせることができる。このため、設定値は、遊技者にとっての有利度合いを特定するための値であるとともに、払出率を特定するための値であるともいえる。設定値としては、例えば、当選確率が異なる１〜６（本実施形態においては、設定値１、２、５、６の４段階）が設けられており、設定値１が最も低い払出率であり、設定値６が最も高い払出率となっている。なお、設定値は、１〜６の６段階に設けられているものであってもよい。設定値の変更は、遊技場の管理者が管理する設定変更用鍵により変更処理開始スイッチ５６をＯＮにした状態で電源を投入することにより設定変更処理に移行させることにより可能となる。
【００５１】
設定値は、設定変更処理中にリセットスイッチ５２を操作することにより順次切替える（例えば…５→６→１→２→５…）ことができる。設定変更処理中は、ペイアウト表示器４６に設定値が表示される。設定変更処理では、スタートスイッチ１９への操作が検出された後、変更処理開始スイッチ５６をＯＦＦにすることにより、そのときに表示されていた設定値を記憶する。これにより、設定値の変更が完了し、以降の遊技においては、記憶された設定値に基づき後述する役抽選等が行われる。なお、設定変更処理が行われたときには、スロットマシン１のＲＡＭ６５が初期化される。
【００５２】
前面扉５の裏面側には、メダル投入口２５の裏側に相当する位置にメダルセレクタ４８が配設されている。メダルセレクタ４８は、メダル投入口２５に投入されたメダルが正規のものであるか否かを物理的に選別し、正規のメダルについてはホッパー容器４２に貯留させるための第１流路４０側に誘導する一方、非正規のメダルについては外部へ排出させるための第２流路４４側に誘導する構造を有する。
【００５３】
また、メダルセレクタ４８は、切替ソレノイド５１（図４参照）と、投入センサ５３（図４参照）とを備えている。切替ソレノイド５１は、遊技状況（例えばリール回転中、クレジット上限到達時等）に応じて投入されたメダルを強制的に第２流路４４側に切替えるためのソレノイドである。投入センサ５３は、メダル投入口２５から投入されたメダルのうち第１流路４０側に誘導されたメダルを１枚ずつ検出するセンサである。投入センサ５３により検出されたメダルは、前面扉５が閉じられた状態においてホッパー容器４２に貯留される。これに対し、第２流路４４側に誘導されたメダルは、メダルシュート４７を介してメダル払出口３９から排出される。
【００５４】
次に、図３を参照して、リール１１Ｌ〜１１Ｒ各々の図柄配列の構成について説明する。リール１１Ｌ〜１１Ｒには、各々、図３に示すとおり複数種類の図柄が所定の順序で配列されている。図３では、説明の便宜上、複数種類の図柄を「Ｒ７」「Ｇ７」「ＢＲ」「Ｃ１」「Ｃ２」「ＢＥ」「ＲＰ」「ＭＤ」「Ｔ１」「Ｔ２」などといった文字列で示しているが、実際にはこれら文字列に対応する絵柄が配列されている。例えば、「Ｒ７」として赤色の「７」の絵柄、「Ｇ７」として緑色の「７」の絵柄、「ＢＲ」として「ＢＡＲ」の絵柄、「ＢＥ」として「ベル」の絵柄、「ＲＰ」として「リプレイ」の絵柄などが配列されている。複数種類の図柄は、他の図柄と識別可能な態様であれば絵柄に限るものではなく、模様や、記号、数字など、どのようなものであってもよい。なお、「Ｃ１」および「Ｃ２」は、外観が類似する絵柄により構成されているため、これらをまとめて「Ｃ」ともいう。同様に、「Ｔ１」および「Ｔ２」も外観が類似する絵柄により構成されているため、これらをまとめて「Ｔ」ともいう。
【００５５】
図３においては、その左端に、リール１１Ｌ〜１１Ｒ各々に図柄が配置されている図柄配置領域に対応させて図柄番号０〜１９を示している。図柄番号０〜１９は、本実施形態のリール１１Ｌ〜１１Ｒ各々において、どの図柄配置領域の図柄であるかを特定するための番号である。
【００５６】
本実施形態の場合、例えば、図柄番号０〜１９までの図柄が印刷されたリールテープがリール１１Ｌ〜１１Ｒ各々の周面に貼り付けられている。このため、リール１１Ｌ〜１１Ｒが回転すると、図柄番号…１９→１８→１７→…２→１→０→１９→１８…といったように、予め定められた順に複数の図柄を表示窓７において可変表示させることができる。
【００５７】
以上のような構成を備えるスロットマシン１は、まずメダル投入口２５へのメダル投入あるいはベットスイッチ１５等が操作されて１ゲームの開始に必要な規定数（本実施形態では「３」に設定）分のメダルが賭数設定されることにより回転開始可能な状態になり、スタートスイッチ１９が操作されることにより、リール１１Ｌ〜１１Ｒを回転させて図柄を可変表示して１遊技を開始する。本実施形態においては、遊技状態にかかわらず規定数として「３」が設定されている例について説明するが、これに限らず、遊技状態に応じて異なる規定数が設定（例えば「ボーナス状態」以外の遊技状態の規定数として「３」が設定、「ボーナス状態」の規定数として「２」が設定）されているものであってもよい。
【００５８】
１遊技が開始された後においては、リール回転中においてストップスイッチ２１Ｌ〜２１Ｒが操作されることにより対応するリールの回転を停止させ、リール１１Ｌ〜１１Ｒすべての回転が停止することにより１遊技を終了する。スロットマシン１は、リール１１Ｌ〜１１Ｒすべての回転が停止したときの図柄組合せなど（遊技結果）に応じて遊技者に対して所定の特典を新たに付与する。特典としては、例えば、遊技状態の移行（ボーナス状態等への移行）、メダル等を新たに用いることなく次回遊技の賭数を自動設定することにより付与される再遊技、所定枚数のメダル払出（あるいはクレジット加算）等が挙げられるが、これらに限るものではない。
【００５９】
次に、図４を参照して、スロットマシン１の電気的な構成について説明する。図４に示すとおり、スロットマシン１には、メイン制御基板６３、サブ制御基板７３、電源ユニット４９、および、外部出力基板９０などが設けられている。
【００６０】
メイン制御基板６３は、遊技の進行に関する制御を行うメインＣＰＵ６１が実装された基板である。サブ制御基板７３は、遊技の進行に応じた演出の制御を行うサブＣＰＵ７１が実装された基板である。電源ユニット４９は、外部から供給される電力を用いて、スロットマシン１に搭載された各種電気部品を駆動するための電源を生成する。外部出力基板９０は、遊技の進行に応じた信号をスロットマシン１の外部（例えば、ホールコンピュータ、台毎データ表示器等）に出力する基板である。
【００６１】
メインＣＰＵ６１は、遊技の進行を制御するための遊技制御プログラムを記憶するＲＯＭ６７と、遊技に関するデータなどを一時的に記憶するＲＡＭ６５とを備え、ＲＯＭ６７に格納された遊技制御プログラムを実行することにより実現される種々の機能や、ハードウェアが制御されることにより実現される種々の機能を有している。
【００６２】
メインＣＰＵ６１は、タイマ割込などの割込機能を有し、ＲＯＭ６７に記憶されている遊技制御プログラムを実行し、メイン制御基板６３に接続されたスイッチ（操作手段）やセンサ（検出手段）からの信号に基づいて遊技の進行に関する処理を行う。また、メインＣＰＵ６１は、スロットマシン１においてエラーが発生しているか否かを判定する。エラーには、例えば、投入センサ５３により所定時間以上検知されている遊技メダルエラー、満タンセンサ５８によりホッパー容器４２が満タンであることが検知されているオーバーフローエラー、ホッパーモータ５７を駆動しているにもかかわらず払出センサ５４により所定時間以上検知されていない払出し遊技メダル切れエラーなどを含む。なお、各種エラーについては、図２４を用いて後述する。
【００６３】
メイン制御基板６３に接続されたスイッチやセンサには、図４に示される、投入センサ５３、ベットスイッチ１５、最大ベットスイッチ１７、スタートスイッチ１９、扉センサ２０、ストップスイッチ２１Ｌ〜２１Ｒ、精算スイッチ２３、リセットスイッチ５２、変更処理開始スイッチ５６、位置センサ５５Ｌ〜５５Ｒ、払出センサ５４、満タンセンサ５８などが含まれる。
【００６４】
また、メインＣＰＵ６１は、遊技の進行に関する処理を行って、メイン制御基板６３に接続された機器類を駆動制御する。メイン制御基板６３に接続された機器類には、図４に示される、切替ソレノイド５１、クレジット表示器４５、ペイアウト表示器４６、報知用表示器６０、有利期間報知ランプ８０、リールモータ１４Ｌ〜１４Ｒ、ホッパーモータ５７、および、各種ＬＥＤなどが含まれる。また、メイン制御基板６３には、７セグメントＬＥＤからなる表示器が搭載されている。メイン制御基板６３には、全遊技期間に対して有利期間に滞在している有利期間滞在比率、総払出枚数に対するボーナスでの払出枚数の役物比率、総遊技回数に対するボーナス入賞からボーナス終了までの遊技回数の役物等状態比率、メダルの総払出枚数に対して有利期間中におけるナビ演出（指示）による払出枚数とボーナス状態中における払出枚数との合計払出枚数が占める比率（例えば、指示込役物比率ともいう）などを表示する表示器が搭載されている。なお、有利期間滞在比率、役物比率、役物等状態比率、および指示込役物比率などは、メイン制御基板６３に搭載されている表示器に表示するものに限らず、別個に設けられた表示器（例えば、ペイアウト表示器４６等）に表示するものであってもよい。この場合、メインＣＰＵ６１は、例えばリセットスイッチ５２が操作されたときに、有利期間滞在比率、役物比率、役物等状態比率、および指示込役物比率などを表示器に表示するようにしてもよい。
【００６５】
メイン制御基板６３は、遊技の進行に応じて、サブ制御基板７３に対して各種のコマンドを送信する。サブ制御基板７３は、メイン制御基板６３からのコマンドに基づいて演出の制御を行う。一方、サブ制御基板７３からメイン制御基板６３に対しては、コマンドを送ることはできない。コマンドは、メイン制御基板６３からサブ制御基板７３に対して一方向にのみ送信される。
【００６６】
サブ制御基板７３に搭載されているサブＣＰＵ７１は、演出を制御するための演出制御プログラムを記憶するＲＯＭ７７と、演出に関するデータなどを一時的に記憶するＲＡＭ７５とを備え、ＲＯＭ７７に格納された演出制御プログラムを実行することにより実現される種々の機能や、ハードウェアが制御されることにより実現される種々の機能を有している。
【００６７】
サブＣＰＵ７１は、タイマ割込などの割込機能を有し、メイン制御基板６３からのコマンドに基づいて、ＲＯＭ７７に記憶されている演出制御プログラムを実行し、遊技の進行に応じた演出内容の決定等を行い、その結果に基づいてサブ制御基板７３に接続された機器類を駆動制御して演出を行う。サブ制御基板７３に接続された機器類には、図４に示される、スピーカ３１Ｌ、３１Ｒ、液晶表示器２７、各種ランプ・ＬＥＤ、および演出操作部８１などが含まれる。液晶表示器２７は、表示領域に画像を表示させるための表示処理を実行する表示制御部を含む。表示制御部は、サブ制御基板７３からの表示制御用のコマンドに基づいて表示処理を実行して、液晶表示器２７の表示領域に所定の画像を表示する。また、表示制御部は、表示内容に応じてコマンドをサブ制御基板７３に送信することも可能である。サブ制御基板７３は、表示制御部からのコマンドに基づいて、スピーカ３１Ｌ、３１Ｒおよび各種ランプ・ＬＥＤ等に対応するコマンドを送信することにより、表示領域に表示する画像に対応する音や光による演出を実行させる。サブＣＰＵ７１により制御される各種ランプ・ＬＥＤには、各種スイッチに対応する操作部の内部に搭載されているＬＥＤを含む。
【００６８】
演出操作部８１には、決定用の決定スイッチ８１ａと、選択用の左選択スイッチ８１ｂ、右選択スイッチ８１ｃ、上選択スイッチ８１ｄ、および下選択スイッチ８１ｅ（これらをまとめて上下左右スイッチともいう）とが設けられている。サブＣＰＵ７１は、予め定められた演出を実行させるときや発展させる際に決定スイッチ８１ａへの操作を促す促進演出を実行し、決定スイッチ８１ａが操作されることにより予め定められた演出を実行あるいは発展させる制御を行う。また、サブＣＰＵ７１は、液晶表示器２７などにより実行する演出（キャラクタや背景）の種類が異なる複数種類の演出モードのうちからいずれかを設定できる演出モード選択可能状態（演出モード選択画面表示中）において、上下左右スイッチが操作されることによりいずれかの演出モードを選択し、決定スイッチ８１ａが操作されることにより選択されている演出モードを設定する。
【００６９】
さらに、サブＣＰＵ７１は、変更処理開始スイッチ５６が操作されて設定変更処理に移行されているときに決定スイッチ８１ａが操作されることにより管理者メニュー状態に移行させて、管理者メニュー画面を液晶表示器２７において表示可能にする。管理者メニュー画面では、「日時設定」、「設定変更履歴」の表示、および、「携帯連動サービスＯＮ／ＯＦＦ設定」などを行うことができる。
【００７０】
また、サブＣＰＵ７１は、リール１１Ｌ〜１１Ｒのいずれも回転しておらず、かつ遊技の進行に応じて発生する特定の演出（例えば、複数遊技にわたって連続する連続演出、特定のボタンへの操作を促すチャンスボタン演出など）が実行されていないときにおいて、決定スイッチ８１ａが操作されることにより、遊技者メニュー状態に移行させて、遊技者メニュー画面を液晶表示器２７において表示可能にする。サブＣＰＵ７１は、管理者メニュー状態および遊技者メニュー状態において上下左右スイッチが操作されることにより表示する項目や対象を選択し、決定スイッチ８１ａが操作されることにより選択されている項目や対象に応じた処理を実行する。なお、サブＣＰＵ７１は、特定の演出を実行しているときであっても、決定スイッチ８１ａが操作されることにより遊技者メニュー状態に移行させるようにしてもよい。この場合、サブＣＰＵ７１は、特定のレイヤに特定の演出の画像を描き、決定スイッチ８１ａが操作されることにより、特定のレイヤよりも優先度が高いレイヤにおいて、遊技者メニュー状態における遊技者メニュー画面の画像を描くことにより、遊技者メニュー画面を優先して表示するようにしてもよい。なお、遊技者メニュー画面表示中においては、特定のレイヤにおける特定の演出を継続して実行するものであってもよく、また特定のレイヤにおける特定の演出を一旦終了するものであってもよい。
【００７１】
また、遊技者メニュー画面表示中に特定のレイヤで特定の演出を継続して実行する場合であって、当該演出が特定のボタンへの操作を促すチャンスボタン演出を伴わない連続演出であるときには、決定スイッチ８１ａの操作で遊技者メニュー画面を表示可能にする一方、当該演出が特定のボタンへの操作を促すチャンスボタン演出であるときには、決定スイッチ８１ａが操作されたとしても遊技者メニュー画面を表示しないようにしてもよい。このようにすることで、遊技者メニュー画面表示中における決定スイッチ８１ａの操作によって、意図せずにチャンスボタン演出を次の段階に発展させてしまうことを未然に防止できる。また、遊技者メニュー画面を表示させるためのスイッチと、チャンスボタン演出を発展させるためのスイッチとは、同じスイッチであってもよく、物理的に異なるスイッチであってもよい。なお、遊技者メニュー画面を表示させるためのスイッチと、チャンスボタン演出を発展させるためのスイッチとが異なるスイッチであっても、遊技者メニュー画面表示中においてチャンスボタン演出を発展させるためのスイッチを操作してしまい意図せずに演出を発展させてしまうことを防止できる。
【００７２】
また、遊技者メニュー画面においては、演出操作部８１への操作に応じて、例えば、入賞の発生回数や発生確率などの役履歴の確認や、遊技者の遊技履歴を蓄積するための携帯連動サービス（以下では、携帯連動ともいう）の設定、スピーカ３１Ｌ、３１Ｒから出力される音量設定、液晶表示器２７の輝度調整などを行うことができる。
【００７３】
サブＣＰＵ７１は、管理者メニュー状態および遊技者メニュー状態において上下左右スイッチが操作されることにより表示する項目や対象を選択し、決定スイッチ８１ａが操作されることにより選択されている項目や対象に応じた処理を実行する。なお、サブＣＰＵ７１は、特定の演出を実行しているときであっても、決定スイッチ８１ａが操作されることにより遊技者メニュー状態に移行させるようにしてもよい。この場合、サブＣＰＵ７１は、特定のレイヤに特定の演出の画像を描き、決定スイッチ８１ａが操作されることにより、特定のレイヤよりも優先度が高いレイヤにおいて、遊技者メニュー状態における遊技者メニュー画面の画像を描くことにより、遊技者メニュー画面を優先して表示するようにしてもよい。なお、遊技者メニュー画面表示中においては、特定のレイヤにおける特定の演出を継続して実行するものであってもよく、また特定のレイヤにおける特定の演出を一旦終了するものであってもよい。
【００７４】
また、遊技者メニュー画面表示中に特定のレイヤで特定の演出を継続して実行する場合であって、当該演出が特定のボタンへの操作を促すチャンスボタン演出を伴わない連続演出であるときには、決定スイッチ８１ａの操作で遊技者メニュー画面を表示可能にする一方、当該演出が特定のボタンへの操作を促すチャンスボタン演出であるときには、決定スイッチ８１ａが操作されたとしても遊技者メニュー画面を表示しないようにしてもよい。このようにすることで、遊技者メニュー画面表示中における決定スイッチ８１ａの操作によって、意図せずにチャンスボタン演出を次の段階に発展させてしまうことを未然に防止できる。また、遊技者メニュー画面を表示させるためのスイッチと、チャンスボタン演出を発展させるためのスイッチとは、同じスイッチであってもよく、物理的に異なるスイッチであってもよい。なお、遊技者メニュー画面を表示させるためのスイッチと、チャンスボタン演出を発展させるためのスイッチとが異なるスイッチであっても、遊技者メニュー画面表示中においてチャンスボタン演出を発展させるためのスイッチを操作してしまい意図せずに演出を発展させてしまうことを防止できる。
【００７５】
また、サブＣＰＵ７１は、リール１１Ｌ〜１１Ｒのいずれも回転しておらず（遊技待機中）、かつ遊技の進行に応じて発生する特定の演出が実行されていないときであって、いずれの操作も検出されることなく所定時間が経過している状態において、予め定められているデモ演出を実行する。また、デモ演出実行中において操作（例えば、賭数を設定するための操作など）が検出されたときには、復帰時の演出が実行可能となる。サブＣＰＵ７１は、デモ演出が開始されてから操作が検出されるまでの時間に応じて復帰時演出を実行する。デモ演出および復帰時演出は、ともに、液晶表示器２７において予め定められているデモ画面や復帰時画面を表示することにより行われる演出である。
【００７６】
また、サブＣＰＵ７１は、リール１１Ｌ〜１１Ｒのいずれも回転していない遊技待機中であって、かつ遊技の進行に応じて発生する特定の演出が実行されていないときには、遊技者メニュー状態に移行させずとも遊技待機中の画面（例えば、遊技画面、デモ画面など）を維持したまま、演出操作部８１の上下左右スイッチが操作されることにより、演出等にかかわる所定の遊技項目を選択する処理を実行する。遊技待機中の画面を維持したまま遊技項目が選択されたときには、決定操作（例えば演出操作部８１の決定スイッチ８１ａへの操作）を要することなく、選択された遊技項目が設定される。所定の遊技項目には、例えば、演出の実行確率にかかわる演出確率モードや、スピーカ３１Ｌ、３１Ｒから出力される音（楽曲など）などが含まれる。
【００７７】
＜遊技制御処理＞
メインＣＰＵ６１は、ＲＯＭ６７に記憶されている遊技制御プログラムに基づいて、遊技の進行を制御するための遊技制御処理を行う。図５は、遊技制御処理の一例を説明するための図である。
【００７８】
（賭数設定処理）
Ｓ１００の賭数設定処理では、投入センサ５３からの検出信号、ベットスイッチ１５あるいは最大ベットスイッチ１７からの操作信号、および再遊技役の入賞時に設定される再遊技フラグなどに応じて、賭数を設定するための処理が行われる。賭数設定処理では、賭数が設定されたときに賭数設定コマンドを出力する。設定された賭数が規定数に達しているときには、スタートスイッチ１９への操作を有効に受け付ける回転開始可能な状態（有効化）にする。
【００７９】
また、賭数設定処理では、精算スイッチ２３からの操作信号に基づいて、ホッパーモータ５７を駆動させる駆動信号を出力して、クレジット分あるいは設定済の賭数分に相当する枚数のメダルを払い出すための精算処理が行われる。賭数設定処理は、回転開始可能な状態においてスタートスイッチ１９からの操作信号を受信することにより終了し、Ｓ２００の内部抽選処理へ移行する。賭数設定処理では、スタートスイッチ１９からの操作信号を受信して内部抽選処理へ移行する際に、実際に設定された賭数（メダル枚数）を特定可能なベットコマンドを出力する。これにより、サブ制御基板７３側においても１遊技に対して賭数設定されたメダル枚数を特定可能となる。
【００８０】
（内部抽選処理）
Ｓ２００の内部抽選処理では、所定範囲（例えば０〜６５５３５）で乱数値を更新する乱数回路から役抽選用の乱数値を抽出し、抽出した値（以下、抽出値という）に基づいて予め定められた複数種類の役のいずれかに当選するか否かを抽選する役抽選が行われる。図６を参照して、スロットマシン１において設定されている役の種別および役名称について説明する。
【００８１】
役の種別としては、ボーナス役と、再遊技役と、小役とが設けられている。ボーナス役は、小役の当選確率が高いボーナス状態への移行という特典を伴う移行役である。再遊技役（以下、リプレイともいう）は、入賞したときに前述の再遊技フラグを設定して再遊技を付与するという特典を伴う役である。賭数設定処理では、再遊技フラグが設定されている場合、遊技者所有のメダル（あるいはクレジット）を新たに用いることなく、次に（今から）開始される遊技（今回遊技）の規定数に対応した賭数を次回遊技の賭数として自動設定する。小役は、所定枚数のメダルを払い出す（あるいはクレジット加算）という特典を伴う役である。
【００８２】
ボーナス役としては、役名称「ＲＢＢ１」「ＲＢＢ２」「ＲＢＢ３」が設けられている。「ＲＢＢ１」「ＲＢＢ２」の図柄組合せには、各々、「Ｒ７」の３つ揃い、「Ｇ７」の３つ揃いとなる組合せが定められている。「ＲＢＢ３」の図柄組合せには、「ＢＲ」の３つ揃いとなる組合せが定められている。「ＲＢＢ１」「ＲＢＢ２」「ＲＢＢ３」各々に入賞したときには、ボーナス状態に制御される。ボーナス状態は、払出されたメダルの枚数が、入賞したボーナス役に対応するメダル枚数（図６の備考欄に記載の枚数）を超えた遊技で終了する。
【００８３】
再遊技役としては、役名称「ＲＰＣ」「ＲＴＴ１」〜「ＲＴＴ９」が設けられている。「ＲＰＣ」の図柄組合せには、「ＲＰ」の３つ揃いとなる組合せが定められている。「ＲＴＴ１」〜「ＲＴＴ９」についても、各々、図６に記載のとおりの図柄組合せが定められている。「ＲＴＴ１」〜「ＲＴＴ９」の図柄組合せが入賞ラインＮＬに停止したときには、「Ｔ」図柄がリール１１Ｌ〜１１Ｒ各々の下段・中段・上段に停止される場合があり、見た目上は「Ｔ」図柄が斜めに揃う。また、「ＲＴＴ１」〜「ＲＴＴ９」は、有利ＲＴに制御する契機となる役であるため、昇格リプレイともいう。
【００８４】
小役としては、役名称「ＢＥ」「ＡＴＡ１」〜「ＡＴＡ１２」および「ＣＨ」が設けられている。「ＢＥ」の図柄組合せには、「ＢＥ」の３つ揃いとなる組合せが定められている。「ＡＴＡ１」〜「ＡＴＡ１２」および「ＣＨ」についても、各々、図６に記載のとおりの図柄組合せが定められている。「ＢＥ」は、押し順が正解したときに入賞となり、メダルが９枚払い出される。「ＡＴＡ１」〜「ＡＴＡ１２」は、押し順が不正解（失敗）したときであってストップスイッチ２１Ｌ〜２１Ｒへの操作タイミングに応じて入賞可能であり、メダルが１枚払出される。「ＣＨ」は、入賞するとメダルが１枚払い出される。また、「ＣＨ」は、有利期間に制御するか否かの有利期間抽選の契機となる役である。
【００８５】
内部抽選処理では、図６に示す役のうち予め定められた役から構成される複数種類の当選役グループ毎に役抽選が行われる。図７を参照して、本実施形態における当選役グループおよび役構成について説明する。
【００８６】
ボーナス役を含む当選役グループとしては、「ＲＢＢ１」「ＲＢＢ２」「ＲＢＢ３」が設けられている。「ＲＢＢ１」「ＲＢＢ２」「ＲＢＢ３」は、それぞれ１つのボーナス役から構成される当選役グループである。
【００８７】
再遊技役の当選役グループとしては、「通常リプ」および「昇格リプ」が設けられている。「通常リプ」は、「ＲＰＣ」のみから構成される当選役グループである。一方、「昇格リプ」は、「ＲＴＴ１」〜「ＲＴＴ９」から構成される当選役グループである。
【００８８】
小役の当選役グループとしては、「左正解ベル１」〜「右正解ベル４」および「１枚役」が設けられている。「左正解ベル１」〜「右正解ベル４」は、「ＢＥ」に加えて、「ＡＴＡ１」〜「ＡＴＡ１２」のうちの２種類以上の役であって、互いに異なる組合せとなる役を含むように構成される当選役グループである。「左正解ベル１」〜「右正解ベル４」は、まとめて「押し順ベル」ともいう。「１枚役」は、「ＣＨ」から構成される当選役グループである。
【００８９】
これら複数種類の当選役グループのうち役抽選の対象となる当選役グループは、複数種類の遊技状態毎に定められている。また、役抽選における当選確率にかかわる判定値は、当選役グループ、制御されている遊技状態、および設定されている設定値に応じて定められている。
【００９０】
スロットマシン１において制御可能となる遊技状態としては、「初期ＲＴ」、「通常ＲＴ」、「有利ＲＴ」、「ＲＢＢ」が当選している「ＲＢＢ内部当選状態」、およびボーナス役の種類に応じた「ＲＢＢ」などが設けられている。「初期ＲＴ」、「通常ＲＴ」、および「有利ＲＴ」は、まとめて一般遊技状態ともいう。
【００９１】
ボーナス役を含む当選役グループのうち「ＲＢＢ１」「ＲＢＢ２」「ＲＢＢ３」は、一般遊技状態において役抽選の対象となる。「ＲＢＢ１」「ＲＢＢ２」「ＲＢＢ３」は、設定値にかかわらず一律の確率（１／１０００）で当選するように判定値が定められている。なお、ボーナス役を含む当選役グループの判定値は、設定値に応じて異なる判定値が定められており、設定値が高くなるに連れて当選確率が高くなる（例えば、当選確率が設定値１：１／１０００、設定値６：１／９００）ように定められているものであってもよい。なお、「ＲＢＢ１」「ＲＢＢ２」「ＲＢＢ３」は、各々、ＲＢＢとともに特定の役（例えばＣＨ）と同時に当選するものであってもよい。
【００９２】
次に、再遊技役を含む当選役グループのうち「通常リプ」は、一般遊技状態、「ＲＢＢ内部当選状態」において役抽選の対象となり、「有利ＲＴ」中の当選確率が１／１．７となりそれ以外の状態（例えば「通常ＲＴ」）における当選確率が１／８となるように判定値が定められている。また、「昇格リプ」は、「通常ＲＴ」においてのみ役抽選の対象となり、１／２０の当選確率となるように判定値が定められている。再遊技役を含む当選役グループの当選確率は、制御されているＲＴの種類に応じた当選確率となる。
【００９３】
通常リプおよび昇格リプのいずれかに当選する確率は、「通常ＲＴ」＜「初期ＲＴ」＜「ＲＢＢ内部当選状態」＜「有利ＲＴ」の関係となるように判定値が記憶されている。このため、一般遊技状態のうち「有利ＲＴ」は、他の遊技状態と比較して再遊技役の当選確率が向上するため、遊技者にとって有利な状態であるといえる。
【００９４】
小役を含む当選役グループのうち「左正解ベル１」〜「右正解ベル４」は、一般遊技状態、「ＲＢＢ内部当選状態」、および「ＲＢＢ」において役抽選の対象となる。一般遊技状態中などにおいて「左正解ベル１」〜「右正解ベル４」のいずれかに当選する確率は、１／５となり、かつ「左正解ベル１」〜「右正解ベル４」各々の当選確率が同一となるように、判定値が均等に振分けられている。「ＲＢＢ」中においては、ほぼ１／１の確率で「左正解ベル１」〜「右正解ベル４」のすべてに当選するように判定値が定められている。「ＲＢＢ」は、一般遊技状態などと比較して「ＢＥ」に入賞する確率が向上するため、遊技者にとって有利な状態であるといえる。
【００９５】
「１枚役」は、一般遊技状態、「ＲＢＢ内部当選状態」において役抽選の対象となる。一般遊技状態中などにおいて「１枚役」に当選する確率は、いずれの設定値が設定されているときでも１／５０の確率で当選するように、設定値にかかわらず共通の判定値が定められている。
【００９６】
内部抽選処理では、現在の遊技状態において役抽選の対象となる当選役グループの判定値（設定されている設定値に応じた判定値）を読み出し、抽出値から減算した値（抽出値を更新）が所定値（例えば０）よりも小さい値になっているか否かを判定する判定処理を行い、小さい値になっていなければ（例えば０以上のとき）次の当選役グループについての判定処理を行うというサイクルを繰り返す。
【００９７】
いずれかの当選役グループについての判定処理において所定値よりも小さい値になっていると判定したときには、この当選役グループに当選していると判定し、当該当選役グループに含まれる役の当選フラグをＲＡＭ６５の所定領域に設定して役抽選を終了する。このため、当選役グループに当選する確率は、「当選役グループの判定値／６５５３６」となる。役抽選において読み出される判定値が大きいほど所定値よりも小さい値になりやすくなるため、当選確率が高い当選役グループであるといえる。一方、役抽選の対象となるすべての当選役グループについて判定処理を行ったが所定値よりも小さい値になっていないと判定されたときには、いずれの当選役グループにも当選していない「はずれ」であると判定する。
【００９８】
内部抽選処理は、いずれかの当選役グループに当選していると判定されるか、いずれの当選役グループにも当選しておらず「はずれ」であると判定されると役抽選を終了して、Ｓ３００の有利期間関連処理に移行する。
【００９９】
内部抽選処理では、役抽選において当選した当選役グループの種別を特定可能な当選種別コマンドをサブ制御基板７３に出力するための処理を行う。例えば、「ＲＢＢ１」「ＲＢＢ２」「ＲＢＢ３」に当選したときにはいずれかの「ＲＢＢ」に当選していることを特定可能な当選種別コマンドを出力し、「通常リプ」「昇格リプ」に当選したときにはいずれかの再遊技役に当選していることを特定可能な当選種別コマンドを出力し、「左正解ベル１」〜「右正解ベル４」のいずれかに当選したときには押し順ベルに当選していることを特定可能な当選種別コマンドを出力する。これにより、サブ制御基板７３側においては、当選役グループの種別に応じた演出を実行可能となる。
【０１００】
（有利期間関連処理）
Ｓ３００の有利期間関連処理では、有利期間にかかわる処理を行う。本実施形態においては、通常期間において、所定の有利期間移行条件が成立することにより有利期間に制御可能となる。有利期間は、有利一般、チャンスゾーン（以下、ＣＺという）、および、アシストタイム（以下、ＡＴという）を含む。有利一般は、ＣＺに移行するか否かのＣＺ移行抽選を実行可能な期間である。ＣＺは、ＡＴ遊技を実行可能なＡＴに移行するか否かのＡＴ移行抽選を実行可能な期間である。有利一般は、ＣＺあるいはＡＴ遊技を実行可能なＡＴに移行するか否かの移行抽選（ＣＺ移行抽選、ＡＴ移行抽選）を実行可能な期間である。ＣＺは、ＡＴに移行するか否かのＡＴ移行抽選を実行可能な期間である。ＡＴ移行抽選においてＡＴに移行する旨が決定される割合は、有利一般中であるときよりもＣＺ中であるときの方が高い。
【０１０１】
有利期間のうちの有利一般およびＣＺは、当該期間中の払出率が１を超えない期間（例えば、有利期間中非出玉期間ともいう）であるのに対し、ＡＴは、ＡＴ遊技が行われる結果、ＡＴ中の払出率が１を超える期間（例えば、有利期間中出玉期間ともいう）であるといえる。有利期間においては、まず有利一般に制御される。また、有利一般中においては、所定のＣＺ移行抽選条件が成立することにより行われるＣＺ移行抽選において当選することによりＣＺに制御可能となる。また、有利一般中およびＣＺ中においては、所定のＡＴ移行抽選条件が成立することにより行われるＡＴ移行抽選において当選することによりＡＴに制御可能となる。よって、有利期間は、ＡＴに制御可能な期間であるといえる。また、有利期間のうちのＡＴは、遊技者にとって有利な有利状態であるといえる。
【０１０２】
所定の有利期間移行条件は、内部抽選処理における役抽選の結果に基づいて成立する条件であって、例えば再遊技役および小役を含む当選役グループのうちのいずれかに当選することにより成立する条件などを含む。有利期間への移行条件は、当選確率に設定差が設けられている当選役グループに当選することによっても成立し、当選確率に設定差が設けられていない当選役グループに当選することによっても成立する。有利期間への移行条件は、役抽選における当選確率が制御されている状態の種類にかかわらず一律に定められている特定の当選役グループに当選することにより成立するものであってもよい。「役抽選における当選確率が制御されている状態の種類にかかわらず一律に定められている」とは、図８を用いて後述するいずれの状態においても役抽選における当選確率が一律に定められているものをいう。
【０１０３】
また、所定のＣＺ移行抽選条件および所定のＡＴ移行抽選条件各々についても、例えば「１枚役」「昇格リプ」などのいずれかに当選することにより成立する条件や「ＲＢＢ１」〜「ＲＢＢ３」などの当選により成立する条件などを含む。このため、これらの役に当選したときには、有利移行条件が成立するとともに、ＣＺ移行抽選条件およびＡＴ移行抽選条件が成立する。その結果、通常期間であっても、「１枚役」「昇格リプ」「ＲＢＢ１」〜「ＲＢＢ３」に当選することにより、ＣＺ移行抽選およびＡＴ移行抽選で当選することにより、有利期間のうちＡＴに制御される場合も生じ得る。なお、有利期間移行条件、ＣＺ移行抽選条件およびＡＴ移行抽選条件は、全く同じ条件であってもよく、また全く異なる条件であってもよく、さらには共通する条件を含むものであってもよい。
【０１０４】
有利期間を終了させる条件は、後述するように有利期間の上限値（例えば上限ゲーム数：１５００）到達を示す有利期間カウンタ＝１５００となることにより成立する第１の条件と、有利期間において賭数とメダル付与数とに基づく差数を累計した累計数が最低となる最下値を０として基点とし、該基点からの現在の累計数が有利期間の上限値（例えば上限累計数：２４００）に到達することにより成立する第２の条件を含む。累計数は、有利期間中において更新される累計数カウンタの値に応じて特定される。有利期間カウンタおよび累計数カウンタは、ともに、ＲＡＭ６５の所定領域において更新される。なお、第１の条件である上限ゲーム数１５００や、第２の条件である上限累計数２４００については、必ずしもその数値に到達するとは限らず、これらの条件を超えることのない数値で有利期間が終了されることもあり、例えば、第１の条件においては１４５０前後で終了したり、第２の条件においては２３００前後で終了したりするようにしてもよい。
【０１０５】
有利期間を終了させる条件としては、さらに、ＡＴゲーム数やＡＴナビ回数が終了したことや、ＡＴが終了した後における有利一般中においてＣＺあるいはＡＴに移行されることなく遊技を所定回数消化することや、ＡＴが終了した後におけるＣＺ中においてＡＴに移行されることなく遊技を所定回数消化することなどにより成立する第３の条件などを含む。以下においては、有利期間（有利一般、ＣＺおよびＡＴのいずれか）を終了させる条件をまとめて「有利期間を終了させる条件（有利期間終了条件）」ともいう。有利期間を終了させる条件は、少なくとも第１の条件と第２の条件とを含むものであれば、本実施形態において例示したものに限らず、他の特定事象により成立し得る条件であってもよい。
【０１０６】
有利期間関連処理では、有利期間中において、所定のＣＺ移行抽選条件、所定のＡＴ移行抽選条件（例えば所定の当選役グループに当選）、および今回遊技の終了に伴って当該有利期間が終了し得る状況（例えば今回遊技により有利期間の上限遊技回数（１５００）あるいは上限累計数（２４００）に到達等）であるか否かを判定し、成立させ得る状況であるときには当該条件が成立する可能性があることを煽る演出を実行する。例えば、メインＣＰＵ６１は、すべてのセグメントを点滅させる態様でペイアウト表示器４６、報知用表示器６０等を駆動制御する。
【０１０７】
また、有利期間関連処理では、有利期間中において、所定のＣＺ移行抽選条件、所定のＡＴ移行抽選条件、および今回遊技の終了に伴って当該有利期間が終了し得る状況であるときには、メインＣＰＵ６１は成立する可能性がある条件を特定可能な条件関連コマンドをサブ制御基板７３に出力する。これにより、例えば、所定のＣＺ移行抽選条件、所定のＡＴ移行抽選条件、および有利期間を終了させる条件各々について成立する可能性を液晶表示器２７により報知することができる。このように、有利期間関連処理は、有利期間にかかわる条件等が成立し得るか否かに応じた処理を実行するものである。実際に有利期間に移行させるための処理、および有利期間を終了させる条件が成立したか否かを判定して有利期間を終了させるための処理等については、後述するＳ７００の有利期間設定処理により行われる。
【０１０８】
また、有利期間関連処理では、有利期間のうちのＡＴ中における役抽選の結果に応じて、有利操作態様を報知用表示器６０により報知するための報知処理を実行可能とする。例えば、当選役グループのうち「左正解ベル１」に当選しているときには、後述するように「ＢＥ」を入賞させるために左のリール１１Ｌから停止させるように、報知用表示器６０を構成する７セグメントのうちアルファベットの大文字「Ｌ」に対応する位置のセグメント（左辺の上下２つ下辺の１つ）を点灯させる態様で報知用表示器６０を駆動制御する。さらに、有利期間関連処理では、当該有利操作態様を特定可能な有利操作態様コマンドを出力する。これにより、サブ制御基板７３側においても有利操作態様を報知するための演出を液晶表示器２７等において実行可能となる。有利期間関連処理が終了すると、Ｓ４００のリール制御処理に移行する。
【０１０９】
（リール制御処理）
Ｓ４００のリール制御処理では、リールモータ１４Ｌ〜１４Ｒを駆動制御して、リール１１Ｌ〜リール１１Ｒを回転させて停止させる処理が行われる。リール制御処理では、ウェイトタイムが経過しているか否かを判定する。ウェイトタイムは、例えば４．１秒に定められており、前回遊技のリール制御処理においてリール１１Ｌ〜１１Ｒ各々の回転が開始されてから計測が開始される。
【０１１０】
リール制御処理では、ウェイトタイムが経過していると判定されたときに、リール１１Ｌ〜１１Ｒの回転を開始させるリール回転処理が行われる。これにより、前回遊技においてリール１１Ｌ〜１１Ｒ各々の回転が開始されてから少なくとも４．１秒経過するまで今回遊技におけるリール１１Ｌ〜１１Ｒを回転開始させるタイミングを遅延させることができる。リール回転処理においては、リール１１Ｌ〜１１Ｒの回転が開始すると、リール回転開始コマンドを出力する。
【０１１１】
リール制御処理では、リール１１Ｌ〜１１Ｒ各々の回転を開始させて一定速度に到達した後（例えば、リールモータ１４Ｌ〜１４Ｒの励磁パターンが一定速度となる励磁パターンとなった後）、リール１１Ｌ〜１１Ｒ各々の基準位置が位置センサ５５Ｌ〜５５Ｒ各々により検出されることにより停止操作可能な状態となり、ストップスイッチ２１Ｌ〜２１Ｒへの操作を有効に受け付ける状態（有効化）になる。
【０１１２】
また、リール制御処理では、停止操作可能な状態においてストップスイッチを操作したときに、例えば当該ストップスイッチに対応するリールの入賞ラインＮＬ上に位置する図柄から予め定められた引込み可能範囲内に配列されている図柄のいずれかを入賞ラインＮＬに引き込んで当該リールを停止させるリール停止処理を行う。引込み可能範囲は、４図柄先までの範囲であって、ストップスイッチが操作されたときに入賞ラインＮＬ上にある図柄から４図柄先までに配列されている図柄を入賞ラインＮＬ上に停止可能となる。
【０１１３】
役抽選においていずれかの役に当選している場合は、当選している役を構成する図柄を引込み可能範囲内で入賞ライン上に引き込むことができるときに、当該図柄を入賞ライン上に引き込んで停止させる。これに対して、いずれの役にも当選していない場合は、いずれの役にも入賞しないはずれ図柄組合せとなる図柄を入賞ライン上に引き込み停止させる。このため、ストップスイッチへの操作が行われたときに、当選している役を構成する図柄を引込み可能範囲内で入賞ラインＮＬ上に引込み可能であれば当該図柄を引込んで入賞ラインＮＬ上に停止させることができる一方、当選していない役の図柄組合せを入賞ラインＮＬ上に停止させてしまうことがない。
【０１１４】
リール停止処理では、引込み可能範囲内の図柄を入賞ラインＮＬ上に停止させることができるものの、引込み可能範囲外の図柄については入賞ラインＮＬ上に停止させることができない。このため、リール１１Ｌ〜１１Ｒの図柄配列において、役を構成する図柄が引込み可能範囲内に存在しない個所が存在する役については、役抽選において当選していても、操作タイミングが合わなければ入賞ラインＮＬ上に当該役を構成する図柄を引き込むことができずに、当該役を取りこぼしてしまう場合（非入賞）が生じる。
【０１１５】
なお、本実施形態は、上述の通り、「役抽選においていずれかの役に当選している場合は、当選している役を構成する図柄を引込み可能範囲内で入賞ライン上に引き込むことができる」ものである。ここで、役抽選は「当選役グループ」毎に行われるものであるため、前記「当選している役」は、詳しくは、当選した「当選役グループ」を構成するいずれかの役に相当するものとなる。
【０１１６】
「ボーナス役」を構成する図柄は、図３に示すとおり、リールの図柄配列において引込み可能範囲内に存在しない個所が存在する。例えば、「ＲＢＢ１」を構成する図柄「Ｒ７」は、リール１１Ｌ〜１１Ｒに１つしか配列されていない。また、他の「ボーナス役」を構成する図柄についても、少なくとも１つのリールにおいて引込み可能範囲内に存在しない個所が存在する。このため、「ボーナス役」は、当選していてもストップスイッチ２１Ｌ〜２１Ｒの操作タイミングによっては入賞ラインにボーナス役を構成する図柄を引き込むことができない場合があり、取りこぼす可能性がある。よって、図７に示すように、「ボーナス役」のいずれかに当選しているときには、当選しているボーナス役を引込み可能範囲内で引込むリール制御を行うものの、いずれの役にも入賞しない場合が生じる。なお、「ＲＢＢ１」「ＲＢＢ２」「ＲＢＢ３」については、当選した遊技において入賞させることができなかった場合、ＲＢＢ内部当選状態に制御されて当該ボーナス役に入賞するまで当該ボーナス役の当選フラグを持ち越す処理が行われる。
【０１１７】
「通常リプ」に含まれる「ＲＰＣ」を構成する図柄「ＲＰ」は、図３に示すように、リール１１Ｌ〜１１Ｒのすべてにおいて引込み可能範囲内に配列されている。また、「昇格リプ」に含まれる「ＲＴＴ１」〜「ＲＴＴ９」各々を構成する図柄は、リールの図柄配列において引込み可能範囲内に存在しない個所が存在するが、「昇格リプ」当選時には「ＲＴＴ１」〜「ＲＴＴ９」のすべてに当選する。その結果、「昇格リプ」に当選したときには、ストップスイッチ２１Ｌ〜２１Ｒの操作タイミングにかかわらず、必ず「ＲＴＴ１」〜「ＲＴＴ９」のうちのいずれかを入賞させることができる。
【０１１８】
小役のうち「１枚役」に含まれる「ＣＨ」を構成する図柄（「Ｒ７」「ＭＤ」）は、図３に示すとおり、リールの図柄配列において引込み可能範囲内に存在しない個所が存在する。このため、「１枚役」は、当選していてもストップスイッチ２１Ｌ〜２１Ｒの操作タイミングによっては入賞ラインに「ＣＨ」を構成する図柄を引き込むことができない場合があり、取りこぼす可能性がある。
【０１１９】
また、リール停止処理では、複数種類の役に当選しているときには、当選している役の種類（役抽選の結果）およびストップスイッチ２１Ｌ〜２１Ｒの操作タイミングおよび押し順（操作態様）に応じて、優先して引き込む対象が予め定められている。
【０１２０】
ここで、「左正解ベル１」〜「右正解ベル４」のいずれかに当選しているときのリール停止処理について説明する。「左正解ベル１」〜「右正解ベル４」のいずれかに当選しているときには、第１停止されたリールの種類に応じて優先して引き込む対象が異なるように定められている。第１停止とは、すべてのリール１１Ｌ〜１１Ｒが回転しているときに最初にリールを停止させることをいう。また、第１停止されたリールは、第１停止リールともいう。
【０１２１】
例えば、「左正解ベル１」に当選しているときにおいて、図７に示すように、左第１停止（左のリール１１Ｌを第１停止）したときには、「ＢＥ」を他の役よりも優先して引き込むように定められている。「ＢＥ」を構成する図柄「ＢＥ」は、引込み可能範囲内に配列されているために、「ＢＥ」の取りこぼしが発生することはない。よって、「左正解ベル１」に当選しているときにおいて、左第１停止したときには、必ず「ＢＥ」に入賞するようにリール制御が行われる。
【０１２２】
一方、「左正解ベル１」に当選しているときにおいて、中あるいは右第１停止（中あるいは右のリール１１Ｍあるいは１１Ｒを第１停止）したときには、「ＢＥ」よりも同時当選している「ＡＴＡ１」または「ＡＴＡ４」を優先して引き込むように定められている。「ＡＴＡ１」および「ＡＴＡ４」を構成する図柄「Ｒ７」「Ｔ１」および「Ｔ２」は、いずれも、図３に示されるようにリール１１Ｌ〜１１Ｒの図柄配列から引込み可能範囲内に配列されていない箇所が存在する。このため、ストップスイッチの操作タイミングによっては、入賞ラインに「ＡＴＡ１」および「ＡＴＡ４」を構成する図柄を引き込むことができず、「左正解ベル１」に当選してもいずれの役にも入賞させることができない場合が生じる。
【０１２３】
また、「左正解ベル２」〜「左正解ベル４」当選時においても、左第１停止したときには必ず「ＢＥ」を入賞させることができるものの、中あるいは右第１停止したときにはいずれの役にも入賞させることができない場合が生じるようにリール制御が行われる。同様に、「中正解ベル１」〜「中正解ベル４」当選時においても、中第１停止したときには必ず「ＢＥ」を入賞させることができるものの、左あるいは右第１停止したときにはいずれの役にも入賞させることができない場合が生じるようにリール制御が行われ、「右正解ベル１」〜「右正解ベル４」当選時においても、右第１停止したときには必ず「ＢＥ」を入賞させることができるものの、左あるいは中第１停止したときにはいずれの役にも入賞させることができない場合が生じるようにリール制御が行われる。なお、「左正解ベル１」〜「右正解ベル４」のすべてに当選しているとき（例えば、「ＲＢＢ」中など）には、ストップスイッチ２１Ｌ〜２１Ｒの操作態様にかかわらず、必ず「ＢＥ」に入賞するようにリール制御が行われる。
【０１２４】
「左正解ベル１」〜「右正解ベル４」のいずれかに当選しているときにおいて「ＢＥ」を入賞させる押し順は、正解手順ともいう。前述したＡＴ中において「左正解ベル１」〜「右正解ベル４」のいずれかに当選したときには、有利操作態様として正解手順を特定可能な情報が報知される。
【０１２５】
「左正解ベル１」〜「右正解ベル４」のいずれかに当選しているときにおいて、正解手順で操作できず、かつ「ＡＴＡ１」〜「ＡＴＡ１２」のうちの当選している役のいずれも入賞させることができないタイミングで停止操作されたときには、「はずれ」図柄組合せのうち、「左正解ベル１」〜「右正解ベル４」に当選していないときには入賞ライン上に停止することがない特定の「はずれ」図柄組合せを入賞ライン上に引き込むリール制御が行われる。特定の「はずれ」図柄組合せは、「初期ＲＴ」あるいは「有利ＲＴ」において入賞ラインＮＬ上に停止すると「通常ＲＴ」への移行を伴う。このため、特定の「はずれ」図柄組合せは、通常移行出目ともいう（図７参照）。
【０１２６】
また、ボーナス役の当選が持ち越されている状態（ＲＢＢ内部当選状態）において再遊技役や小役に当選したときにおけるリール停止処理では、ボーナス役よりも再遊技役や小役を優先して引き込むように定められている。
【０１２７】
リール停止処理においては、リール１１Ｌ〜１１Ｒのいずれかが停止する毎に、停止したリール、および停止位置（例えば、中段に停止されている図柄の図柄番号等）などを特定可能なリール停止コマンドを出力する。これにより、サブ制御基板７３は、停止したリール、および停止位置が特定可能となり、対応する演出を実行可能となる。リール１１Ｌ〜１１Ｒすべてが停止すると、Ｓ５００の出目判定処理に移行する。
【０１２８】
（出目判定処理）
Ｓ５００の出目判定処理では、入賞ラインＮＬ上の図柄組合せに基づいて、当該図柄組合せに対応する処理を実行する。例えば、小役が入賞したときには、図６の払出欄に記載のメダルを払い出すか、あるいはクレジット加算するための払出処理を実行する。払出処理では、メダル払出あるいはクレジット加算により遊技者に付与されたメダル枚数（０枚を含む）を特定可能な払出コマンドを出力する。これにより、サブ制御基板７３側においても１遊技の結果として遊技者に付与されたメダル枚数を特定可能となる。また、再遊技役が入賞したときには、再遊技フラグを設定するための処理を実行する。出目判定処理では、入賞ラインＮＬ上の図柄組合せ、入賞の有無、入賞した役の種類等を特定可能な遊技結果コマンドを出力する。これにより、サブ制御基板７３側においては、入賞ラインＮＬ上の図柄組合せに応じた演出を実行可能となる。また、出目判定処理では、遊技の結果に応じて、有利期間滞在比率、役物比率、および役物等状態比率等を更新してＲＡＭ６５の所定領域に記憶する。出目判定処理が終了すると、Ｓ６００の遊技状態設定処理に移行する。メダルを払い出す（あるいはクレジット加算する）ための払出処理、および再遊技フラグを設定するための処理は、役に対応する特典を付与するための制御を行う特典付与手段に含まれる。
【０１２９】
（遊技状態設定処理）
Ｓ６００の遊技状態設定処理では、役抽選あるいは遊技の結果等に基づいて、次回以降の遊技状態を特定可能な遊技状態フラグを設定する。遊技状態フラグは、ＲＡＭ６５の所定領域に記憶される。メインＣＰＵ６１は、遊技状態フラグに基づいて、現在制御されている遊技状態を特定する。図８には、遊技状態の遷移が示されている。
【０１３０】
遊技状態設定処理は、「初期ＲＴ」または「有利ＲＴ」において通常移行出目が入賞ラインＮＬ上に停止されたときに、「通常ＲＴ」を特定可能な遊技状態フラグを設定する。また、遊技状態設定処理は、「通常ＲＴ」において昇格リプレイである「ＲＴＴ１」〜「ＲＴＴ９」に入賞したときに、「有利ＲＴ」を特定可能な遊技状態フラグを設定する。
【０１３１】
また、遊技状態設定処理は、「初期ＲＴ」「通常ＲＴ」および「有利ＲＴ」のいずれかにおいて「ＲＢＢ」に当選した遊技において入賞しなかったときに、「ＲＢＢ内部当選状態」を特定可能な遊技状態フラグを設定する。また、遊技状態設定処理は、「ＲＢＢ」に入賞したときに、「ＲＢＢ」を特定可能な遊技状態フラグを設定する。遊技状態設定処理は、「ＲＢＢ１」「ＲＢＢ２」「ＲＢＢ３」中における払出枚数を計数し、払出枚数が所定枚数を超えたときに「初期ＲＴ」を特定可能な遊技状態フラグを設定する。また、スロットマシン１は、設定変更等により初期化されると「初期ＲＴ」を特定可能な遊技状態フラグを設定する。遊技状態設定処理が終了すると、Ｓ７００の有利期間設定処理に移行する。
【０１３２】
ここで、図８を参照して、遊技状態の遷移について説明する。以下では、まず、有利期間のうちのＡＴに制御されないとき（以下、非ＡＴともいう）の遊技状態の遷移について説明する。
【０１３３】
スロットマシン１は、設定変更等により初期化されると遊技状態として初期ＲＴに設定されて遊技が開始される。初期ＲＴにおいては、「押し順ベル」が比較的高確率（１／５）で当選する一方、「押し順ベル」当選時において有利操作態様を報知するＡＴ遊技が行われることがない。このため、比較的早いタイミングで押し順ベルを取りこぼして通常移行出目が停止されることになり、通常ＲＴに制御されることになる。
【０１３４】
通常ＲＴでは、「昇格リプ」に当選して「昇格リプレイ」が入賞すると有利ＲＴに制御される。しかし、有利ＲＴに制御された後においも非ＡＴ中であるため、初期ＲＴ中と同様、「押し順ベル」が比較的高確率で当選する結果、比較的早いタイミングで通常移行出目が停止されて「通常ＲＴ」に制御されることになる。よって、非ＡＴ中においては、遊技の大半を通常ＲＴにおいて行うことになる。
【０１３５】
また、通常ＲＴ中等において「ＲＢＢ」に当選したとしても、当該「ＲＢＢ」を構成する図柄を入賞ラインＮＬ上に引き込むことができるタイミングで停止操作しなければ入賞させることができない。その結果、「ＲＢＢ」に当選した遊技において入賞させることができなかった場合、「ＲＢＢ内部当選状態」に制御される。
【０１３６】
「ＲＢＢ」に入賞すると、「ＲＢＢ」に制御される。ＲＢＢ中においては、高確率で「左正解ベル１」〜「右正解ベル４」のすべてに当選する結果、操作態様にかかわらず「ＢＥ」を入賞させることができるため、効率的にメダルを獲得できる。払出枚数が所定枚数を超えるとボーナス終了となり「初期ＲＴ」に制御される。
【０１３７】
一方、有利期間のうちのＡＴに制御されているときには、「通常ＲＴ」「有利ＲＴ」中において「押し順ベル」に当選したときに、「ＢＥ」を入賞させるための有利操作態様が報知用表示器６０および液晶表示器２７により報知される。これにより、停止操作を誤らない限り、確実に「ＢＥ」を入賞させることができる。その結果、メダルが９枚払い出される割合が高まる。また、通常移行出目を回避できるため、「有利ＲＴ」から「通常ＲＴ」に転落してしまうことも防止でき、「再遊技役」に当選・入賞する割合も高まった状態を保った有利な状態で遊技を行うことができる。なお、有利期間のうちのＣＺは、所定回数遊技が行われた後において「押し順ベル」当選時に有利操作態様を報知するか、「ＲＢＢ」に制御されることにより終了する。
【０１３８】
また、ＡＴ中に当選したＲＢＢが終了した後においては、ＡＴゲーム数が持ち越されるため再びＡＴ中となり、有利操作態様が報知されて「有利ＲＴ」に制御される。ＡＴ中に当選したＲＢＢが終了した後において「有利ＲＴ」に制御されるまでの「初期ＲＴ」および「通常ＲＴ」に制御される期間は、「有利ＲＴ」に制御されるまでの準備段階であるため、準備期間ともいう。なお、ＡＴ中に当選したＲＢＢが終了した後に制御される「初期ＲＴ」中において「押し順ベル」に当選したときには、「通常ＲＴ」へ移行可能となるようにするため、「ベル」を入賞させるための有利操作態様が報知されることはない。
【０１３９】
（有利期間設定処理）
Ｓ７００の有利期間設定処理では、通常期間において有利期間移行条件が成立したことに基づいて有利期間に制御する。有利期間設定処理では、有利期間中における状態の遷移を制御するための処理を実行する。
【０１４０】
有利期間設定処理では、通常期間において有利期間移行条件が成立することに基づいて有利期間に制御する。有利期間移行条件は、例えば内部抽選において再遊技役および小役を含む当選役グループのうちのいずれかに当選することにより成立する。このため、遊技の大半は、有利期間において行われる。有利期間中においては、当該有利期間が開始されてからの賭数とメダル付与数とに基づく差数を累計した累計数が最低となる最下値を０として基点とし、該基点からの現在の累計数（いわゆるＭＹ値）や遊技回数がカウントされる。
【０１４１】
通常期間から有利期間に制御されたときには、有利一般に制御される。有利一般中においては、ＣＺ移行抽選において当選する確率（遊技者にとっての有利度合い）が異なる、低確・通常・高確等の複数種類のモードのうちのいずれかに制御されるようにしてもよく、例えば、通常期間から有利期間に制御されたときには、複数種類のモードのうち、ＣＺ移行抽選において当選する確率が高いモードに制御されてもよい。このようにすることで、ＡＴ終了直後の通常期間から有利期間に制御されるときに、遊技者の期待感を持続させることができる。また、有利一般中におけるＡＴ移行抽選の有利度合い（例えばＡＴ当選する割合等）も、低確・通常・高確等のモードの種類に応じて異なるようにしてもよい。なお、ＣＺ移行抽選やＡＴ移行抽選の一方または両方は一定となるように定められていてもよい。
【０１４２】
また、通常期間から有利期間に制御されるときには、ＡＴに制御するまでに要する天井遊技回数を設定する。ＡＴは、天井遊技回数に到達することやＡＴ当選することにより制御される状態である点において、役抽選においてボーナスに当選することにより制御可能となるＲＢＢ等とは異なる。天井遊技回数とは、ＡＴに強制的に制御する回数である。有利期間が開始されてから消化した遊技回数が天井遊技回数に到達することにより、ＡＴに制御される。天井遊技回数は、所定のゲーム数（例えば９９９回）に一律に定められているものであってもよく、また、通常期間から有利期間に制御されるときに複数のゲーム数（例えば、２５０回、５００回、９９９回）のうちから抽選により決定されるものであってもよい。
【０１４３】
有利一般中のＣＺ移行抽選において当選したときには、所定期間（例えば所定ゲーム数消化する期間等）に亘りＣＺに制御される。ＣＺにおいてＡＴ移行当選することなく所定期間が経過したときには、再び有利一般に制御される。有利一般またはＣＺにおけるＡＴ移行抽選において当選したときや天井遊技回数に到達したときには、ＡＴに制御される。ＡＴを開始するときには、有利期間報知ランプ８０を点灯させる。
【０１４４】
ＡＴ中は、「押し順ベル」および「ＲＴ移行リプレイ」（以下、まとめてナビ対象役ともいう）に当選したときに有利操作態様（正解手順）を報知するナビ演出が実行される。また、ＡＴ中においては、ＡＴに制御可能とするＡＴゲーム数を上乗せするか否か（上乗せ抽選）、１回のＡＴの終了条件が成立（例えばＡＴゲーム数を消化）した後に再度ＡＴに制御するか否か（ＡＴストック抽選）、１回のＡＴの終了条件が成立した後にＡＴストックがない場合に有利一般およびＣＺのいずれに制御するか（ＡＴ終了後状態抽選）などについて抽選する各種ＡＴ中抽選が行われる。各種ＡＴ中抽選は、例えば、内部抽選において所定の当選役グループ（例えば、「１枚役」「昇格リプ」「ＲＢＢ１」〜「ＲＢＢ３」など）に当選することにより行われる。また、ＡＴストック抽選では、当選することにより、ＡＴに制御可能な回数（ＡＴストック回数）を１加算する。ＡＴストック回数は、ＡＴ終了後においてＡＴに繰返し制御可能となり、制御される毎に１ずつ減算される。なお、ＡＴ中における各種ＡＴ中抽選の有利度合い（当選確率等）は、一律に定められているものであってもよく、また、複数のモード（低確率モード、通常確率モード、高確率モードなど）のうち制御されているモードに応じた有利度合いとなるようにしてもよい。
【０１４５】
各種ＡＴ中抽選のうち上乗せ抽選において、ＡＴゲーム数が上乗せされたときには、当該ＡＴの残りＡＴゲーム数に加算される。また、制御中のＡＴの終了条件が成立したときであって、ＡＴストック回数が１以上であるときには、再度ＡＴに制御される。また、制御中のＡＴの終了条件が成立したときであって、ＡＴストック回数が１以上ではないときには、ＡＴ終了後状態抽選の結果に応じて、有利一般およびＣＺのいずれかに制御される。有利期間中においてＡＴに少なくとも１回制御された後、ＡＴ終了後において制御される有利一般およびＣＺ中のＡＴ移行抽選において当選することなく、所定の終了条件が成立（例えば、予め定められたゲーム数を消化したときなど）したときには、通常期間に制御される。このとき、有利期間報知ランプ８０を消灯させ、有利期間中に更新されていた差数や遊技回数等、有利期間に関するすべての情報がリセットされる。
【０１４６】
また、有利期間は、有利期間中の遊技回数が上限遊技回数の１５００に到達することにより第１の条件が成立するか、有利期間中の賭数とメダル付与数とに基づく差数を累計した累計数が最低となる最下値を０として基点とし、該基点からの現在の累計数上限累計数の２４００に到達することにより第２の条件が成立することにより終了する。このような、第１の条件および第２の条件が成立するまでの残り遊技回数あるいは累計数が所定値未満となったときには、エンディングに制御される。具体的には、ＡＴ中において、有利期間中の遊技回数が１２００に到達したときや、有利期間中の差数が２０００に到達したときにエンディングに制御される。エンディング中においても、ナビ演出が実行されるように定められている。エンディングは、第１の条件または第２の条件が成立するまで継続し、第１の条件または第２の条件が成立することにより有利期間終了条件が成立したときに、通常期間に制御する。このときにも、有利期間報知ランプ８０を消灯させ、有利期間中に更新されていた差数や遊技回数等、有利期間に関するすべての情報がリセットされる。
【０１４７】
有利期間設定処理では、遊技状態設定処理および有利期間設定処理により設定された結果、次回以降の遊技がいずれの遊技状態であるのか、通常期間、有利期間のうちの有利一般、ＣＺ、およびＡＴ（残りＡＴゲーム数カウンタの値を含む）のうちのいずれであるか、有利期間中において更新される各種情報（各種ＡＴ中抽選を行う条件の成立）などを特定可能な状態コマンドを出力する。これにより、サブ制御基板７３側においては、次回以降の状態に応じた演出を実行可能となる。有利期間設定処理が終了すると、Ｓ１００の賭数設定処理に移行して次回の遊技に備える。スロットマシン１は、１遊技毎にＳ１００〜Ｓ７００の処理を繰り返し実行する。また、メインＣＰＵ６１は、スロットマシン１においてエラーが発生しているか否かを判定し、エラーが発生していると判定したときには当該エラーの種類を特定可能なエラーコマンドを出力する。
【０１４８】
また、メインＣＰＵ６１は、設定変更処理を開始したときにはその旨を特定可能な設定変更開始コマンドをサブＣＰＵ７１に出力し、設定変更処理を終了するときにはその旨を特定可能な設定変更終了コマンドをサブＣＰＵ７１に出力する。また、メインＣＰＵ６１は、設定変更処理においてスタートスイッチ１９への操作が検出されて設定値が設定されたときに、設定値が設定されたことを特定可能な設定値設定コマンドをサブＣＰＵ７１に出力する。サブＣＰＵ７１は、これらのコマンドに基づき設定変更処理中であることを特定する。また、サブＣＰＵ７１は、過去所定回数分の設定変更処理が実行された日時をＲＡＭ７５に格納する。
【０１４９】
また、メインＣＰＵ６１は、メインＣＰＵ６１側において所定のエラーが発生しているか否かを判定するエラー判定処理を実行する。メインＣＰＵ６１は、エラー判定処理においてエラーが発生していると判定したときには当該エラーの種類を特定可能なエラーコマンドをサブＣＰＵ７１に出力する。なお、メインＣＰＵ６１は、設定変更処理を実行しているときにはエラー判定処理を実行せず、メインＣＰＵ６１側におけるエラー判定を行わない。このことについては、図１３等を用いて後述する。
【０１５０】
また、メインＣＰＵ６１は、予め定められた設定示唆情報の報知条件が成立（例えば所定役（１枚役、ＲＢＢなど）当選、ＡＴ２への制御が開始）しているときに設定示唆情報を報知するための処理を実行する。設定示唆情報を報知するための処理では、報知する設定示唆情報の種類を決定してペイアウト表示器４６において報知するとともに、設定示唆情報の種類を特定可能な設定示唆コマンドをサブＣＰＵ７１へ出力する。サブＣＰＵ７１は、設定示唆コマンドの種類に予め対応付けられている設定示唆演出を実行する。設定示唆情報および設定示唆情報に対応する設定示唆演出としては、例えば、設定値が奇数であることを示唆可能な情報（演出）、設定値が偶数であることを示唆可能な情報（演出）、設定値が「５」以上であることを示唆可能な情報（演出）などが含まれる。これにより、メインＣＰＵ６１側からサブＣＰＵ７１側へは、設定値に関するコマンドではなく、メインＣＰＵ６１側において決定された設定示唆情報に対応するコマンドが送信される。このため、メインＣＰＵ６１側からサブＣＰＵ７１側への送信信号を不正に取得されて設定値が不正に読み取られてしまうことを未然に防止できる。また、設定示唆情報の報知条件が成立したときには、メインＣＰＵ６１側において決定した設定示唆情報をペイアウト表示器４６において報知するとともに、サブＣＰＵ７１側において設定示唆情報に対応する設定示唆演出を液晶表示器２７などにおいて実行することができる。これにより、ペイアウト表示器４６の設定示唆情報と、液晶表示器２７などにおいて実行される設定示唆演出とを対比することにより、不正な設定示唆演出が行われているか否かを早期に発見することができる。
【０１５１】
＜演出制御処理＞
サブＣＰＵ７１は、メイン制御基板６３からのコマンドに基づいて、ＲＯＭ７７に記憶されている演出制御プログラムを実行し、遊技の進行に応じて演出実行の有無および種類を乱数抽選により決定する演出抽選を行い、その抽選結果に基づいてサブ制御基板７３に接続された液晶表示器２７、スピーカ３１Ｌ、３１Ｒ、および各種ランプ・ＬＥＤなどの演出手段を駆動制御するための演出制御処理を行う。所定の演出を実行するための演出実行手段は、サブＣＰＵ７１により行われる演出制御処理に含まれる。演出制御処理により実行される演出例を以下に説明する。
【０１５２】
演出制御処理では、役抽選において当選した当選役グループの種別を特定可能な当選種別コマンドを受信したときには、当選役グループの種別に応じた演出を実行可能となる。演出制御処理は、当選種別コマンドを受信したことに基づいて、例えば、「ＲＢＢ」の当選種別コマンド受信時は「ボーナス確定！」などを含む確定画面を液晶表示器２７に表示する演出や、「押し順ベル」を特定可能な当選種別コマンドに基づいてベルと類似色の「黄色い風船」の画像を液晶表示器２７に表示する演出を実行する。これにより、遊技者は当選した当選役グループを推測しながら遊技を進行させることができ、遊技の興趣を向上させることができる。
【０１５３】
また、演出制御処理では、ＡＴ中に有利操作態様を特定可能な有利操作態様コマンドを受信したときには、当該コマンドから特定される有利操作態様を特定可能な画像を液晶表示器２７に表示する演出を実行する。これにより、ＡＴ中において「左正解ベル１」〜「右正解ベル４」のいずれかに当選したときに正解手順で停止操作を行って、確実に「ＢＥ」を入賞させることが可能となる。また、「有利ＲＴ」かつＡＴ中であるＡＲＴ中は、「左正解ベル１」〜「右正解ベル４」のいずれかに当選したときでも「ＢＥ」を入賞させることができるため、通常移行出目が停止してしまい「通常ＲＴ」に転落してしまうことを確実に防止できる。なお、有利操作態様を特定可能な画像は、ナビ演出ともいう。また、演出制御処理では、前述したように、設定示唆情報に対応する設定示唆演出を液晶表示器２７などにおいて実行する。
【０１５４】
＜管理者メニュー状態および遊技者メニュー状態について＞
演出制御処理では、設定変更処理中において管理者メニュー状態に制御し、管理者用の管理項目の表示・設定を行う管理者メニュー画面を表示するための処理を実行可能である。また、演出制御処理では、遊技待機中において遊技者メニュー状態に制御して、遊技者用の遊技項目の表示・設定を行う遊技者メニュー画面を表示するための処理を実行可能である。図９は、管理者メニュー画面および遊技者メニュー画面各々の表示契機、終了契機、およびメニュー表示中のエラー発生時の制御内容を説明するための図である。
【０１５５】
サブＣＰＵ７１は、設定変更処理中において演出操作部８１の決定スイッチ８１ａが操作されることにより管理者メニュー画面を表示する。また、サブＣＰＵ７１は、当該設定変更処理においてスタートスイッチ１９への操作が検出（設定確定）されかつ変更処理開始スイッチ５６がＯＦＦ（キーオフ）となるか（つまり設定変更終了コマンド受信）、演出操作部８１が操作されることなく予め定められている特定時間が経過するか、管理者メニュー状態においていずれかの管理項目の設定が完了することなどにより、管理者メニュー画面の表示を終了する。サブＣＰＵ７１は、設定変更開始コマンドを受信してから設定変更終了コマンドを受信するまでの間を設定変更処理中であると判定する。この間において、サブＣＰＵ７１は、図１８を用いて後述するサブ側設定変更状態処理を実行することにより管理者メニュー画面を表示する。
【０１５６】
サブＣＰＵ７１は、サブＣＰＵ７１側において所定のエラーが発生しているか否かを判定するエラー判定処理を実行するが、管理者メニュー状態中においても同様に実行する。一方、前述したとおり、メインＣＰＵ６１は、設定変更処理を実行しているときにはメインＣＰＵ６１側のエラー判定処理を実行しない。このため、管理者メニュー画面表示中において、サブＣＰＵ７１は、サブＣＰＵ７１側のエラー判定処理においてエラーが発生していると判定したときに、管理者メニュー画面よりも当該サブＣＰＵ７１側のエラー（サブ系エラー）報知を優先して報知する。ここでサブ系エラーとは、メイン制御基板とサブ制御基板間との通信エラーや、サブＣＰＵと液晶表示器との通信エラー等をいう。
【０１５７】
サブＣＰＵ７１は、遊技待機中において演出操作部８１の決定スイッチ８１ａが操作されることにより遊技者メニュー画面を表示する。また、サブＣＰＵ７１は、遊技者メニュー画面の表示を終了する「終了」項目が選択された状態で決定スイッチ８１ａが操作されるか、演出操作部８１が操作されることなく予め定められている所定時間が経過するか、遊技者メニュー画面において携帯連動サービス（後述するクイックスタートを含む）の設定が完了することなどにより、遊技者メニュー画面の表示を終了する。サブＣＰＵ７１は、例えば、遊技結果コマンドを受信してからリール回転開始コマンドを受信するまでの間を遊技待機中であると判定する。この間において、サブＣＰＵ７１は、図１９を用いて後述するサブ側遊技待機処理を実行することにより遊技者メニュー画面を表示する。
【０１５８】
サブＣＰＵ７１は、サブＣＰＵ７１側において所定のエラーが発生しているか否かを判定するエラー判定処理を実行するが、遊技者メニュー状態中においても同様に実行する。また、メインＣＰＵ６１は、遊技待機中においてもメインＣＰＵ６１側のエラー判定処理を実行する。このため、サブＣＰＵ７１は、メインＣＰＵ６１側およびサブＣＰＵ７１側各々のエラー判定処理においてエラーが発生していると判定したときには、遊技者メニュー画面よりも当該エラー報知を優先して報知する。
【０１５９】
管理者メニュー画面および遊技者メニュー画面の表示は、ともに、演出操作部８１が操作されることなく予め定められている時間が経過することにより終了する。管理者メニュー画面を終了させる時間として定められている特定時間は、遊技者メニュー画面を終了させる時間として定められている所定時間よりも短い時間が定められている。例えば、特定時間は、３０秒に定められているのに対し、所定時間は、３分に定められている。このため、メニュー画面において操作せずに放置された場合、遊技者メニュー画面の表示を終了させるタイミングよりも早いタイミングで、管理者メニュー画面の表示を終了させることができる。これにより、スロットマシン１は、管理者メニュー画面が遊技者に見られてしまう可能性を低減できる。以下に、管理者メニュー画面および遊技者メニュー画面各々について具体的に説明する。
【０１６０】
図１０は、管理者メニュー状態中における管理者メニュー画面の遷移を説明するための図である。電源投入されてメインＣＰＵ６１側において設定変更処理が開始されると、サブＣＰＵ７１は、所定の起動処理を行った後に、液晶表示器２７の表示領域が黒画面（以下、基本画面ともいう）となるように液晶表示器２７を制御する。基本画面は、液晶表示器２７が起動しているのみであって描画データが入力されていない状態であってもよく、また表示領域全面において黒色を表示している状態などであってもよい。
【０１６１】
サブＣＰＵ７１は、基本画面において演出操作部８１の決定スイッチ８１ａが操作されることにより、管理項目の表示・設定が可能な管理者メニュー画面を液晶表示器２７に表示する。図１０では、基本画面からまず管理者メニュー画面のうち「サブクリア」画面に遷移している。サブクリア画面では、例えば、「クリア」項目と「次」項目とが表示される。「クリア」項目は、管理項目の一つである。サブクリア画面においては、演出操作部８１の上下左右スイッチを操作することにより、「クリア」項目と「次」項目とのうちのいずれかを選択し、演出操作部８１の決定スイッチ８１ａを操作することにより選択されている項目に決定する。サブＣＰＵ７１は、決定された項目に対応する処理を実行する。管理者メニュー画面において上下左右スイッチを操作することによりいずれかの管理項目が選択されているときには、当該項目が反転表示される。
【０１６２】
サブクリア画面において、演出操作部８１が操作されることなく特定時間が経過したときに、サブＣＰＵ７１は、サブクリア画面を終了して基本画面に遷移する。基本画面は、前述したとおり、黒画面である。このため、サブクリア画面が表示されていたことが特定不能となる。特定不能とは、例えば、把握できないことのみならず、予測すらできないことをいう。特定時間は、前述した所定時間よりも短い時間が定められている。これにより、遊技者メニュー画面と比較して、サブクリア画面を遊技者に見られてしまう可能性を低減できる。
【０１６３】
一方、サブクリア画面において「クリア」項目が選択されて決定されたときに、サブＣＰＵ７１は、液晶表示器２７の左上に「サブクリア」といったメッセージが表示されるとともに、中央に「設定完了」といったメッセージを報知する完了画面を表示するとともに、ＲＡＭ７５の特定情報を初期化する。特定情報は、遊技の進行に応じて更新される情報であって、例えば後述する携帯連動サービスなどが開始されてから蓄積される遊技履歴や、遊技者メニュー状態において設定される設定情報などを含む。なお、初期化の対象は、特定情報に限らず、ＲＡＭ７５に格納されている他の情報を含むものであってもよい。
【０１６４】
特定情報には、後述する基準音量情報、許否情報、エコモードか否かを特定するための情報、エラー履歴表示に用いる情報などを含まない。基準音量情報、許否情報、エコモードか否かを特定するための情報、エラー履歴表示に用いる情報は、ＲＡＭ７５においてサブクリアの対象となる特定情報が記憶される領域とは異なる特定領域に格納されている。また、特定領域は、設定変更などに伴う初期化の対象にも設定されていない。このため、基準音量情報、許否情報、エコモードか否かを特定するための情報、エラー履歴表示に用いる情報などは、サブクリアや設定変更されることによっては初期化されない。なお、特定領域は、設定変更などに伴う初期化の対象となっていない領域であればよく、例えば、サブクリアの対象となる領域であってもよい。つまり、基準音量情報、許否情報、エコモードか否かを特定するための情報、エラー履歴表示に用いる情報などは、設定変更されることによっては初期化されないものであればよく、サブクリアにより初期化されるものであってもよい。
【０１６５】
また、完了画面を表示してから第１設定後時間が経過したときに、サブＣＰＵ７１は、完了画面を終了して基本画面に遷移する。これにより、サブクリアされたことが特定不能となる。第１設定後時間は、特定時間よりもさらに短い時間が定められている。また、第１設定後時間が経過するまでに演出操作部８１が操作されたとしても、第１設定後時間が経過したときに必ず基本画面に遷移する。これにより、サブクリアされたことを特定可能となる完了画面が遊技者に見られてしまう可能性を、サブクリア画面などの選択中の画面よりもなお一層低減できる。
【０１６６】
これに対し、サブクリア画面において、「次」項目が選択されて決定されたときに、サブＣＰＵ７１は、管理者メニュー画面のうち「日時設定」画面に遷移する。日時設定画面では、例えば、「日時設定」項目が表示されるとともに、「完了」項目と「次」項目とが表示される。「日時設定」項目としては、例えば、ＲＡＭ７５に格納されている日時（例えば、「２０１９年３月１２日１５時００分」）が表示される（後述する図２５（ａ）参照）。「日時設定」項目は、管理項目の一つである。
【０１６７】
日時設定画面において、演出操作部８１が操作されることなく特定時間が経過したときに、サブＣＰＵ７１は、日時設定画面を終了して基本画面に遷移する。これにより、日時設定画面を遊技者に見られてしまう可能性を低減できる。また、日時設定画面が表示されていたことが特定不能となる。
【０１６８】
一方、演出操作部８１の上下左右スイッチを操作して、「日時設定」項目のうちの変更対象項目（年・月・日・時・分のいずれか）を選択して、演出操作部８１の決定スイッチ８１ａを操作すると、変更対象項目の数値が１加算される。例えば、月の項目に対応する「０９」を選択して決定スイッチ８１ａを操作すると、「１０」に変更され、続けて決定スイッチ８１ａを操作すると「１１」→「１２」→「０１」といったように月の数値が更新される。このようにして、設定したい日時を入力する。
【０１６９】
設定したい日時を入力した後、「完了」項目を選択して演出操作部８１の決定スイッチ８１ａを操作して決定されたとき（決定操作時）に、サブＣＰＵ７１は、液晶表示器２７の左上に「日時設定」といったメッセージが表示されるとともに、中央に「設定完了」といったメッセージを報知する完了画面を表示するとともに、入力された日時を特定可能な情報をＲＡＭ７５に格納する。
【０１７０】
また、完了画面を表示してから第２設定後時間が経過したときに、サブＣＰＵ７１は、完了画面を終了して基本画面に遷移する。このため、「日時設定」されたことが特定不能となる。第２設定後時間は、特定時間よりもさらに短い時間が定められている。また、第２設定後時間が経過するまでに演出操作部８１が操作されたとしても、第２設定後時間が経過したときに必ず基本画面に遷移する。これにより、日時設定されたことを特定可能となる完了画面が遊技者に見られてしまう可能性を、日時設定画面などの選択中の画面よりもなお一層低減できる。
【０１７１】
これに対し、日時設定画面において、「次」項目が選択されて決定されたときに、サブＣＰＵ７１は、管理者メニュー画面のうち「設定変更履歴」画面に遷移する。設定変更履歴画面では、例えば、設定変更処理を実行した過去所定回数（例えば１０回）分の日時が列挙表示される。これにより、管理者は、設定変更処理が実行された日時を過去に遡って確認し、不正に設定値が変更されていないか等を確認できるとともに、設定値を変更すべきか否かの判断材料に用いることができる。設定変更履歴は、管理項目の一つである。
【０１７２】
設定変更履歴画面において演出操作部８１が操作されることなく特定時間が経過したときに、サブＣＰＵ７１は、設定変更履歴画面を終了して基本画面に遷移する。これにより、設定変更履歴画面を遊技者に見られてしまう可能性を低減できる。また、設定変更履歴画面が表示されていたことが特定不能となる。
【０１７３】
一方、設定変更履歴画面において演出操作部８１が操作されたときに、サブＣＰＵ７１は、管理者メニュー画面のうち「携帯連動サービスＯＮ／ＯＦＦ設定」画面に遷移する。携帯連動サービスＯＮ／ＯＦＦ設定画面では、例えば、「ＯＮ／ＯＦＦ」項目が表示されるとともに、「完了」項目と「次」項目とが表示される。「ＯＮ／ＯＦＦ」項目としては、例えば、遊技者メニュー画面において携帯連動サービス（クイックサービスを含む）を許可するＯＮ状態とするか、許可しないＯＦＦ状態とするかを選択する項目である。「ＯＮ／ＯＦＦ」項目は、管理項目の一つである。
【０１７４】
携帯連動サービスＯＮ／ＯＦＦ設定画面において、演出操作部８１が操作されることなく特定時間が経過したときに、サブＣＰＵ７１は、携帯連動サービスＯＮ／ＯＦＦ設定画面を終了して基本画面に遷移する。これにより、携帯連動サービスＯＮ／ＯＦＦ設定画面を遊技者に見られてしまう可能性を低減できる。また、携帯連動サービスＯＮ／ＯＦＦ設定画面が表示されていたことが特定不能となる。
【０１７５】
一方、携帯連動サービスＯＮ／ＯＦＦ設定画面において演出操作部８１の上下左右スイッチを操作して、「ＯＮ／ＯＦＦ」項目を選択して、演出操作部８１の決定スイッチ８１ａを操作すると、ＯＮ状態とＯＦＦ状態とが交互に切り替えられる。これにより、携帯連動サービスを許可するか否かを選択する。
【０１７６】
選択した後、「完了」項目を選択して演出操作部８１の決定スイッチ８１ａを操作して決定されたときに、サブＣＰＵ７１は、液晶表示器２７の左上に「携帯連動サービス」といったメッセージが表示されるとともに、中央に「設定完了」といったメッセージを報知する完了画面を表示するとともに、携帯連動サービスを許可するＯＮ状態であるか許可しないＯＦＦ状態であるかを特定可能な情報をＲＡＭ７５に格納する。
【０１７７】
また、完了画面を表示してから第３設定後時間が経過したときに、サブＣＰＵ７１は、完了画面を終了して基本画面に遷移する。このため、携帯連動サービスが設定されたことが特定不能となる。第３設定後時間は、特定時間よりもさらに短い時間が定められている。また、第３設定後時間が経過するまでに演出操作部８１が操作されたとしても、第３設定後時間が経過したときに必ず基本画面に遷移する。これにより、携帯連動サービスが設定されたことを特定可能となる完了画面が遊技者に見られてしまう可能性を、携帯連動サービスＯＮ／ＯＦＦ設定画面などの選択中の画面よりもなお一層低減できる。また、第１〜第３設定後時間は、設定項目の情報を記憶・処理に要する時間に応じて異なる時間であって、たとえば、第１設定後時間が最も短く、第２設定後時間が最も長くなっており、設定項目の情報を記憶・処理に要する時間（動作完了を担保する時間）より長い時間が定められている。また、第１〜第３設定後時間は、完了画面を管理者が確認することを担保する時間でもある。つまり、第１〜第３設定後時間は、動作完了を担保する時間でもあり、かつ管理者が完了画面を確認することを担保する時間でもある。このため、完了画面が終了したにもかかわらず、内部的な設定が未だ完了していないといった不具合を未然に防止でき、また完了画面が表示されることにより管理者を安心させることができる。また、故障などにより動作完了していない場合には完了画面が表示され続けるため、逆に、完了画面の表示が終了することにより、故障などしておらず設定が完了したことを管理者は把握することができる。これに対し、携帯連動サービスＯＮ／ＯＦＦ設定画面において、「次」項目が選択されて決定されたときに、サブＣＰＵ７１は、携帯連動サービスＯＮ／ＯＦＦ設定画面を終了して「サブクリア」画面に遷移する。これにより、管理項目を一通り確認したことを管理者に報知することができる。以降においては、演出操作部８１への操作に応じて同様の処理が実行される。
【０１７８】
また、サブＣＰＵ７１は、管理者メニュー状態において管理者メニュー画面を表示しているときにおいて設定変更処理が終了したことを特定したときには管理者メニュー状態を終了するとともに、液晶表示器２７に表示している画面の種類にかかわらず予め定められているデモ画面を表示する。
【０１７９】
図１０においては、電源投入されてメインＣＰＵ６１側において設定変更処理が開始されることにより管理者メニュー画面を表示し、所定の管理項目について設定する例について説明した。しかし、管理項目についての設定は、これに限らず、例えば、「エコモード設定」、「基準音量設定」、および「遊技者音量調整許否設定」などが含まれる。
【０１８０】
「エコモード設定」とは、エコモードにするか通常モードにするかを管理者が設定するための項目である。エコモードとは、サブ制御基板７３に接続された機器類による演出実行時に消費される電力を通常モード（通常時）よりも節約するモードをいう。エコモードが設定されているときには、通常モード設定時よりも、例えば、液晶表示器２７、各種ランプ・ＬＥＤの輝度を低くする制御や、駆動時間あるいは点灯時間を短くする制御、スピーカ３１Ｌ、３１Ｒから出力される音量を低くする制御、駆動させる機器の数を少なくする制御などが行われる。サブＣＰＵ７１は、エコモードであるか否かに応じて、制御されているモードに対応する消費電力となるように当該ＬＥＤ、スピーカ３１Ｌ、３１Ｒ等を制御する。
【０１８１】
「エコモード設定」については、例えば、前面扉５が開放（その旨を扉センサ２０により検出）されているときに変更処理開始スイッチ５６をＯＮにすることにより制御される状態であって設定確認状態（現在の設定値を確認することができる状態）中において設定可能となる。設定確認状態中においては、例えば、現在の設定値がペイアウト表示器４６に表示されるとともに、液晶表示器２７に「エコ機能有効」項目と「エコ機能無効」項目とが表示される。演出操作部８１の上下左右スイッチを操作することにより、「エコ機能有効」項目と「エコ機能無効」項目とのうちのいずれかを選択し、演出操作部８１の決定スイッチ８１ａを操作して変更処理開始スイッチ５６をＯＦＦにすることにより、選択されている項目に決定する。「エコ機能有効」項目が選択されて決定されたときには、「エコモード設定完了」といったメッセージが表示されるとともに、消費電力が節約されるエコモードが設定される。これに対し、「エコ機能無効」項目が選択されて決定されたときには、「通常モード設定完了」といったメッセージが表示されるとともに、通常モードが設定される。設定後においては、当該設定されたモードに応じて各種の演出手段が制御される。
【０１８２】
「基準音量設定」とは、スピーカ３１Ｌ、３１Ｒの基準音量を管理者が設定するための項目である。基準音量とは、遊技者による遊技音の音量調整が可能となる範囲をいう。後述する遊技者音量調整が許可されているときには、基準音量に対応する範囲のうちから遊技者が音量を調整することができる。また、基準音量が設定されたときには、当該設定された基準音量に応じて定められている音量が設定後の初期音量となる。
【０１８３】
「遊技者音量調整許否設定」とは、前述した基準音量に対応する範囲のうちから遊技者が音量を調整することを許可するか否かを設定するための項目である。遊技者音量調整許否設定において許可されているときには、設定されている基準音量の範囲内で遊技者が音量を調整可能となる一方、許可されていないときには、遊技者が遊技音の音量を調整することができず、設定されている基準音量に応じた初期音量となる。
【０１８４】
「基準音量設定」および「遊技者音量調整許否設定」については、例えば、前面扉５が開放（その旨を扉センサ２０により検出）されているときに演出操作部８１の決定スイッチ８１ａを操作することにより制御される状態において設定可能となる。「基準音量設定」および「遊技者音量調整許否設定」については、図２１〜図２４等を用いて後述する。
【０１８５】
なお、前述した「エコモード設定」、「基準音量設定」、および「遊技者音量調整許否設定」などの管理項目についても、電源投入されてメインＣＰＵ６１側において設定変更処理が開始されることにより管理者メニュー画面において設定可能となるようにしてもよい。例えば、図１０の携帯連動サービスＯＮ／ＯＦＦ設定画面において、「次」項目が選択されることに応じて、サブＣＰＵ７１は、「エコモード設定」画面→「基準音量設定」画面→「遊技者音量調整許否設定」画面→基本画面に遷移し、「エコモード設定」、「基準音量設定」、および「遊技者音量調整許否設定」を行うようにしてもよい。
【０１８６】
図１１は、遊技者メニュー状態中における遊技者メニュー画面の遷移を説明するための図である。サブＣＰＵ７１は、遊技待機中において、まず遊技画面（リール回転中から表示されている画面を含む）を液晶表示器２７に表示し、予め定められた時間が経過するとデモ画面に遷移する。このように、遊技待機中における遊技画面あるいはデモ画面を液晶表示器２７に表示しているときに、演出操作部８１の決定スイッチ８１ａが操作されると、サブＣＰＵ７１は、遊技者メニュー状態に制御して、遊技者メニュー画面としてメニュートップ画面を液晶表示器２７に表示する。メニュートップ画面では、遊技項目の一例である、「クイックスタート」項目、「携帯連動サービス」項目、「役構成」項目、「演出カスタマイズ」項目、「音量調整」項目、および「終了」項目が表示される。
【０１８７】
「クイックスタート」項目は、クイックスタートを開始するための項目である。クイックスタートとは、パスワードを入力することなく、クイックスタートが選択されてから蓄積した遊技数や小役当選回数やボーナス当選回数などの遊技履歴を特定可能な情報を遊技終了時において出力可能な遊技モードである。遊技者は、携帯端末などを用いて、遊技終了時に出力される情報を所定のサーバに対して出力することにより、当該サーバにおいて管理されている遊技者の遊技履歴などを更新することができる。
【０１８８】
「携帯連動サービス」項目とは、携帯連動サービスを開始するための項目である。携帯連動サービスとは、所定のサーバにより発行されたパスワードを入力することによって遊技者の遊技履歴を反映させた状態で遊技を行うことができるとともに、サーバにおける遊技者の遊技履歴を更新することができる遊技モードである。遊技終了時においては、クイックスタートと同様に、蓄積した遊技履歴を特定可能な情報を出力して、サーバにおいて管理されている遊技者の遊技履歴などを更新することができる。
【０１８９】
「役構成」項目とは、スロットマシン１に定められている役に関する情報（例えば、役名称、図柄組合せ、払出枚数など、図６に示す情報）や遊技状態の遷移（例えば図８やＡＴの遷移など）などを表示するための項目である。「演出カスタマイズ」項目とは、遊技者の好みに合わせて背景や遊技の進行に応じて実行される演出などの種類を選択して設定するための項目である。「音量調整」項目とは、管理項目における「遊技者音量調整許否設定」において遊技者による音量調整が許可されているときにスピーカ３１Ｌ、３１Ｒの音量を基準音量に対応する範囲のうちから遊技者が調整するための項目である。「終了」項目とは、遊技者メニュー画面を終了させてデモ画面に遷移させるための項目である。
【０１９０】
メニュートップ画面においては、演出操作部８１の上下左右スイッチを操作することにより表示された項目のうちのいずれかを選択し、演出操作部８１の決定スイッチ８１ａを操作することにより選択されている項目に決定する。サブＣＰＵ７１は、決定された項目に対応する処理を実行する。遊技者メニュー画面において上下左右スイッチを操作することにより選択されている遊技項目に対してカーソルが表示されるとともに、当該遊技項目が反転表示される（図１１、図１２（ａ）等参照）。
【０１９１】
「クイックスタート」項目が選択されて決定されたときに、サブＣＰＵ７１は、クイックスタートを開始する旨の開始画面を液晶表示器２７に表示した後にデモ画面に遷移する。開始画面を表示しているときに、ＣＰＵ７１は、クイックスタートを開始するための処理（ＲＡＭ７５において遊技履歴の蓄積開始など）を実行する。
【０１９２】
「携帯連動サービス」項目が選択されて決定されたときに、サブＣＰＵ７１は、携帯連動サービスの開始画面を液晶表示器２７に表示した後にデモ画面に遷移する。携帯連動サービスの開始画面としては、まず、パスワード入力画面を表示し、入力されたパスワードが適正なパスワードであるときに携帯連動サービスを開始する旨の画面を液晶表示器２７に表示する。また、ＣＰＵ７１は、携帯連動サービスを開始するための処理（遊技履歴反映、ＲＡＭ７５において遊技履歴の蓄積開始など）を実行する。
【０１９３】
「役構成」項目が選択されて決定されたときに、サブＣＰＵ７１は、第２階層の画面として、スロットマシン１に定められている役に関する情報（例えば、役名称、図柄組合せ、払出枚数など、図６に示す情報）や遊技状態の遷移（例えば図８やＡＴの遷移など）などを液晶表示器２７に表示する。「役構成」項目が選択されて決定されたときには、まずスロットマシン１に定められている役に関する情報を示す役構成画面を表示するとともに、「次」項目と「メニュートップへ戻る」項目とを表示する。「次」項目が選択されて決定されたときには、遊技状態の遷移（例えば図８やＡＴの遷移など）に関する情報を示すゲームフロー画面を表示するとともに、「戻る」項目と「メニュートップへ戻る」項目とを表示する。「戻る」項目が選択されて決定されたときは役構成画面に戻り、また、「メニュートップへ戻る」項目が選択されて決定されたときには、メニュートップ画面に戻る。なお、「ゲームフロー画面」は、「役構成」項目に含まれる例について説明したが、これに限らず、メニュートップ画面において「役構成」項目とは別に「ゲームフロー」項目を選択可能に設け、当該「ゲームフロー」項目が選択されて決定されたときに表示される画面であってもよい。
【０１９４】
「演出カスタマイズ」項目が選択されて決定されたときに、サブＣＰＵ７１は、第２階層の画面として、演出カスタマイズ画面を液晶表示器２７に表示する。演出カスタマイズ画面では、第２階層の画面として、図１２（ａ）に示すように、「ナビボイス」項目、「コスチューム」項目、「壁紙」項目、「デフォルトに戻す」項目、および「メニュートップへ戻る」項目が表示される。
【０１９５】
「ナビボイス」項目とは、音声を発生する演出（例えばナビ演出）を実行する際のキャラクタの種類（出力する音声の種類）を選択するための項目である。演出カスタマイズ画面において「ナビボイス」項目が選択されて決定されたときには、第３階層の画面として、図１２（ｂ）に示すように、複数種類のキャラクタＡ〜Ｅのいずれかを選択可能な「キャラクタ」項目が表示される。これにより、演出操作部８１の上下左右スイッチを操作することにより表示されたキャラクタのうちのいずれかを選択する。選択された際には、当該キャラクタの音声がスピーカ３１Ｌ、３１Ｒから出力される。また、演出操作部８１の決定スイッチ８１ａを操作することにより選択されている項目に決定すると、当該キャラクタを特定するための設定情報をＲＡＭ７５に格納して、「キャラクタ」項目の表示を終了して第２階層の画面に戻る。この際に、「ナビボイスをキャラクタ○○に設定しました」等の設定完了メッセージを表示することで、設定したことを遊技者に伝えることができるとともに、遊技者は設定されたことを認識することができる。そして、遊技中においては、設定されたキャラクタの音声データを用いてナビ演出が実行される。「キャラクタ」項目のうち「キャラクタ？」項目は、現在は選択できないキャラクタであって、遊技者が遊技履歴を蓄積するなどして所定レベルに到達した以降において選択可能となるキャラクタである。また、演出カスタマイズ中においては、「キャラクタ」項目が表示されているときに限らず、第３階層の画面において遊技者が項目を決定などした場合、第１階層の画面ではなく第２階層の画面に戻る。つまり、演出カスタマイズが継続される。これにより、遊技者は続けて別の項目を設定することができ、利便性を向上させることができる。
【０１９６】
「コスチューム」項目とは、キャラクタの衣装の種類を選択するための項目である。演出カスタマイズ画面において「コスチューム」項目が選択されて決定されたときには、第３階層の画面として、複数種類のコスチュームＡ〜Ｅのいずれかを選択可能な「コスチューム」項目が表示される。これにより、演出操作部８１の上下左右スイッチを操作することにより表示されたコスチュームのうちのいずれかを選択する。選択された際には、当該コスチュームの画像が液晶表示器２７に表示されるものであってもよい。また、演出操作部８１の決定スイッチ８１ａを操作することにより選択されている項目に決定すると、当該コスチュームを特定するための設定情報をＲＡＭ７５に格納して、液晶表示器２７の「コスチューム」項目の表示を終了して第２階層の画面に戻る。この際に、「コスチューム○○に設定しました」等の設定完了メッセージを表示することで、設定したことを遊技者に伝えることができるとともに、遊技者は設定されたことを認識することができる。そして、遊技中においては、設定されたコスチュームの衣装によりキャラクタが表示される。「コスチューム」項目のうち「コスチューム？」項目は、現在は選択できないコスチュームであって、遊技者が遊技履歴を蓄積するなどして所定レベルに到達した以降において選択可能となるコスチュームである。
【０１９７】
「演出カスタマイズ」項目が選択されて決定されたときの画面として、図１２では、第２階層の画像（図１２（ａ））において項目が選択されて決定されると第３階層の画像に切り替え（図１２（ｂ））、第３階層の画像において項目が選択されて決定されると、再び第２階層の画像に戻る（図１２（ａ））例について説明した。しかし、項目が選択されて決定されたときの画面は、これに限らず、第２階層の画像において項目が選択されて決定されたときには、第２階層の画像を表示しつつ第３階層の画像を表示するようにしてもよい。例えば、図１２（ｃ）に示すように、「ナビボイス」項目が選択されて決定されたときには、第３階層の画面として、複数種類のキャラクタのいずれかを選択可能な「キャラクタ」項目が液晶表示器２７の右側の表示領域に表示されるようにしてもよい。また、図１２（ｄ）に示すように、「コスチューム」項目が選択されて決定されたときには、第３階層の画面として、複数種類のコスチュームのいずれかを選択可能な「コスチューム」項目が液晶表示器２７の右側の表示領域に表示されるようにしてもよい。この場合、演出操作部８１の決定スイッチ８１ａを操作することにより選択されている項目に決定すると、当該キャラクタあるいは当該コスチュームを特定するための設定情報をＲＡＭ７５に格納して、液晶表示器２７の右側の表示領域の「キャラクタ」項目あるいは「コスチューム」項目の表示を終了して第２階層の画面に戻るようにしてもよい。
【０１９８】
「壁紙」項目とは、遊技中に表示される背景のうちある程度固定されている画像（枠画像など）の種類を選択するための項目である。演出カスタマイズ画面において「壁紙」項目が選択されて決定されたときには、第３階層の画面として、複数種類の壁紙のいずれかを選択可能な「壁紙種類」項目が表示される。これにより、演出操作部８１の上下左右スイッチを操作することにより表示されたいずれかの種類の壁紙を選択する。選択された際には、当該壁紙のイメージ画像が液晶表示器２７に表示されるものであってもよい。また、演出操作部８１の決定スイッチ８１ａを操作することにより選択されている項目に決定すると、当該壁紙の種類を特定するための設定情報をＲＡＭ７５に格納して、液晶表示器２７の「壁紙種類」項目の表示を終了して第２階層の画面に戻る。この際に、「壁紙○○に設定しました」等の設定完了メッセージを表示することで、設定したことを遊技者に伝えることができるとともに、遊技者は設定されたことを認識することができる。そして、遊技中においては、設定された壁紙により背景が表示される。
【０１９９】
「デフォルトに戻す」項目とは、演出カスタマイズにおいて設定されたナビボイスやコスチューム、壁紙などをデフォルト状態に戻すための項目である。演出カスタマイズ画面において「デフォルトに戻す」項目が選択されて決定されたときには、ＲＡＭ７５に格納した設定情報を初期化するとともに、演出カスタマイズ画面において「設定情報をクリアしました」といったメッセージなどを表示した後、再び第２階層の画面に戻る。
【０２００】
遊技者による音量調整が許可されている状態において「音量調整」項目が選択されて決定されたときに、サブＣＰＵ７１は、現在の音量を示すとともに、現在の音量が調整可能な音量の範囲のうちのどのレベル（度合い、高い、低い等）であるかを特定可能にするための音量を想起させる画像を液晶表示器２７に表示し、演出操作部８１への操作に応じて遊技音の音量を調整することができ、「戻る」が選択されたときにはメニュートップ画面に戻る。音量を想起させる画像としては、例えば、調整可能な音量の範囲に対応する画像として高さの異なる棒状の画像が５本表示され、調整可能な音量の範囲のうち現在の音量がどのレベル（度合い、高い、低い等）であるかを棒状の画像を反転して表示することにより報知する画像である（図２２（ｃ）に示す選択度合画像と類似）。
【０２０１】
一方、遊技者による音量調整が許可されていないときには、遊技者メニュー状態において「音量調整」項目が選択できない（項目がグレー表示、あるいは項目自体が非表示等）か、選択できたとしても「音量調整できません」といったメッセージが表示されるようにしてもよい。なお、「音量調整」は、遊技者メニュー状態に制御せずとも、遊技待機中における演出操作部８１の上下スイッチへの操作に応じて設定可能となるようにしてもよい。
【０２０２】
「メニュートップへ戻る」項目とは、メニュートップ画面に戻すための項目である。演出カスタマイズ画面において「メニュートップへ戻る」項目が選択されて決定されたときには、演出カスタマイズ画面を終了してメニュートップ画面が表示される。
【０２０３】
図１１では、遊技者メニュー画面として、第１階層のメニュートップ画面、第２階層の各種表示画面や演出カスタマイズ画面、第３階層の演出カスタマイズ画面を例示した。このうち、いずれの遊技者メニュー画面を表示しているときであっても、演出操作部８１が操作されることなく所定時間が経過したときには、デモ画面に遷移する。遊技者メニュー画面は、遊技者用の遊技項目を表示あるいは設定する画面である。このため、所定時間は、管理者メニュー画面に対して定められている特定時間よりも長く定めれている。その結果、遊技者のペースで遊技項目を確認しながら比較的余裕を持って設定を行うことができる。
【０２０４】
また、サブＣＰＵ７１は、遊技者メニュー状態においていずれの遊技者メニュー画面を表示しているときであっても、ベットスイッチ１５あるいは最大ベットスイッチ１７への操作かメダル投入口２５へのメダル投入などにより賭数が設定されるか、スタートスイッチ１９が操作されることにより、遊技者メニュー画面を終了して遊技画面に遷移する。これにより、遊技者から遊技開始の意思が確認されたときには、すぐに遊技を開始することができる。
【０２０５】
＜電源投入時処理について＞
電源スイッチ５０がＯＦＦ状態からＯＮ状態に操作されると、スロットマシン１への電力供給が開始される。スロットマシン１への電力供給が開始されると、メインＣＰＵ６１は、図１３に示す電源投入時処理を行う。
【０２０６】
電源投入時処理では、まずＳ０１において、電断信号がＯＮであるか否かの判定が行われる。電断信号とは、電源ユニット４９からの出力電圧が所定の閾値以上になるまでＯＮとなる信号である。Ｓ０１において電断信号がＯＮであると判定されたときには、そのまま待機する。一方、電断信号がＯＮであると判定されなくなったときには、Ｓ０２において、ＲＡＭ６５へのアクセスが許可される。
【０２０７】
Ｓ０３においては、ＲＡＭ６５についてバックアップ不良判定処理が行われる。バックアップ不良判定処理では、例えば、チャックサム値を用いてバックアップ不良を判定するチェックサム判定や、電断フラグの値に基づき異常電断を判定する電断フラグ判定、電源断時のスタックポインタの範囲を判定するスタックポインタ判定、設定値が所定範囲内（１〜６）であるか否かの設定値判定、内部当せん情報上位が所定範囲内であるか否かの内部当せん情報上位判定などが行われ、異常であると判定されたときにＲＡＭ６５のバックアップの状態が不良であると判定し、ＲＡＭエラーフラグをエラーデータとして設定する。エラーデータは、種々のタイミングで発生したエラーの有無を特定するためのデータである。
【０２０８】
Ｓ０４においては、扉センサ２０からの検出信号がＯＮ状態であるか否かが判定される。前面扉５が筐体３に対して閉じられた状態においては、扉センサ２０からの検出信号がＯＮ状態となる。扉センサ２０がＯＮ状態であると判定されなかったときには、前面扉５が筐体３に対して開放された状態であるため、Ｓ０５において、変更処理開始スイッチ５６が操作されてＯＮ状態であるか否かが判定される。変更処理開始スイッチ５６がＯＮ状態であると判定されたときには、Ｓ１０において設定変更処理を行う。設定変更処理については、図１６を用いて後述する。
【０２０９】
一方、Ｓ０４において扉センサ２０がＯＮ状態であると判定されたときや、Ｓ０５において変更処理開始スイッチ５６がＯＮ状態であると判定されなかったときには、Ｓ０６においてＳ０３のＲＡＭバックアップ不良判定処理の結果が不良であるか否かが判定される。具体的には、ＲＡＭエラーフラグが設定されているか否かが判定される。ＲＡＭエラーフラグが設定されており不良であると判定されたときには、Ｓ１１においてエラー処理を行い、電源投入時処理を終了する。エラー処理については、図１５を用いて後述する。これに対し、ＲＡＭエラーフラグが設定されておらず、Ｓ０６において不良であると判定されなかったときには、Ｓ０７においてリール１１Ｌ〜１１Ｒのうちのいずれかが回転中であったか否かが判定される。
【０２１０】
Ｓ０７においてリール１１Ｌ〜１１Ｒのうちのいずれかが回転中であったと判定されたときには、Ｓ０８においてリール再起動状態を設定する。これにより、リールの回転状態を電源断前の状態に復元する設定が行われる。Ｓ０９においては、センサエラー（ＥＡエラー）判定処理を行い、電源投入時処理を終了する。センサエラー（ＥＡエラー）判定処理では、メダルセレクタ４８内の投入センサ５３がＯＮ状態であるか否かを判定し、ＯＮ状態であると判定されたときにセンサエラー（ＥＡエラー）フラグをエラーデータとして設定するための処理である。
【０２１１】
図１３に示されるように、Ｓ１０における設定変更処理中においては、例えばＳ０６およびＳ０９などのエラー判定処理が行われない。このため、前述したとおり、メインＣＰＵ６１は、設定変更処理を実行しているときにはエラー判定処理を実行しない。
【０２１２】
＜タイマ割込処理について＞
前述したように、メインＣＰＵ６１は、タイマ割込などの割込機能を有している。メインＣＰＵ６１は、電源投入時処理を終了した後においては、所定時間経過毎に図１４に示すタイマ割込処理を行う。タイマ割込処理では、まずＳ１５において、リールモータ１４Ｌ〜１４Ｒに位相出力処理が行われる。具体的には、リールモータ１４Ｌ〜１４Ｒを構成するステッピングモータに対して、リール１１Ｌ〜１１Ｒ各々の回転のための励磁データを出力する。
【０２１３】
Ｓ１６においては、正常状態においてメインＣＰＵ６１側からサブＣＰＵ７１側へコマンドを送信するためのコマンド送信処理が行われる。Ｓ１７においては、電断信号がＯＮとなり電源断されるか否かが判定される。電源断されると判定されたときには、Ｓ２３において電断処理を行う。電断処理では、スタックポインタ、電断フラグ、およびチェックサム値などの設定が行われる。
【０２１４】
Ｓ１７において電源断されると判定されなかったときには、Ｓ１８においてランプ処理を行う。ランプ処理では、メイン制御基板６３に接続されたランプ・ＬＥＤ等を駆動制御する。Ｓ１９においては、ポート入力処理を行う。ポート入力処理では、メイン制御基板６３に接続されたスイッチやセンサからの信号が入力される。
【０２１５】
Ｓ２０においては、各種センサの監視処理を行う。各種センサの監視処理では、例えば、セレクターに搭載されている投入センサ５３などのセレクターセンサを監視する処理、払出センサ５４を監視する処理、および扉センサ２０などの検知状態を監視する処理などを行い、各種センサの検知結果に基づいてエラー判定を行う。また、エラーを検知した場合には、エラー発生時の送信用コマンドを設定するとともに、各種エラーデータを設定する。
【０２１６】
Ｓ２１においては、Ｓ２０の監視処理において設定されたエラーを特定するための送信用コマンドが設定されているか否かが判定される。送信用コマンドがあると判定されなかったときには、Ｓ２４へ移行し、送信用コマンドがあると判定されたときには、Ｓ２２においてメインＣＰＵ６１側からサブＣＰＵ７１側へ、エラーを特定するための送信用コマンドを送信するためのコマンド送信処理を行う。
【０２１７】
Ｓ２４においては、エラーデータが設定されているか否かが判定される。Ｓ２４においてエラーデータが設定されていると判定されたときには、Ｓ２５において、エラー処理を行って、タイマ割込処理を終了する。エラー処理については、図１５を用いて後述する。
【０２１８】
一方、Ｓ２４においてエラーデータが設定されていると判定されなかったときには、Ｓ２６においてメダルの投入判定を行う。Ｓ２７においては、メダルの払出判定を行う。Ｓ２８においては、タイマ更新処理を行う。Ｓ２９においては、ポート出力処理を行う。Ｓ３０においては、外部信号出力処理を行う。外部信号出力処理では、エラー発生を特定するための信号や前面扉５の開閉状態を特定するための信号などを遊技場の管理者が管理するホールコンピュータへ外部出力する。Ｓ３１においては、リール１１Ｌ〜１１Ｒの制御処理を行い、タイマ割込処理を終了する。
【０２１９】
＜エラー処理について＞
次に、図１３のＳ１１および図１４のＳ２５などにおいて実行されるエラー処理について説明する。エラー処理では、まず、Ｓ３５において現在の遊技状態が保存される。Ｓ３６においては、エラーデータに対応するエラーフラグを設定し、サブＣＰＵ７１へ送信する。
【０２２０】
Ｓ３７においては、ペイアウト表示器４６（遊技メダル払出し枚数表示器）の内容が保存される。Ｓ３８においては、ペイアウト表示器４６によりエラーコードが表示される。Ｓ３９においては、ホッパーユニット４３（遊技メダル払出装置）および切替ソレノイド５１（キャンセルコイル）の状態が保存される。Ｓ４０においては、ホッパーユニット４３（遊技メダル払出装置）および切替ソレノイド５１（キャンセルコイル）の設定（オフ状態設定）が行われる。
【０２２１】
続いて、Ｓ４１においては、Ｅ４エラーの状態（図１３のＳ１１参照）であるか否かが判定される。Ｅ４エラーの状態であると判定されたときには、Ｓ５３に移行し、設定変更処理が行われるまで待機状態となる。
【０２２２】
Ｓ４１においてＥ４エラーの状態であると判定されなかったときには、Ｓ４２において、Ｅ３エラー状態（ホッパーエンプティエラー）であるか否かが判定される。Ｅ３エラー状態であると判定されたときには、Ｓ４３に移行し、Ｅ３エラー状態でないと判定されたときには、Ｓ４４に移行する。
【０２２３】
Ｓ４３においては、エラー解除センサがオン状態であるか否かが判定される。なお、このＳ４３は、ホッパーエンプティエラーであるため、ここでのエラー解除センサは、ドアキーリセットとなる。ドアキーリセットは、前面扉５を開くための鍵（ドアキー）を、前面扉５の解錠方向とは反対の方向に回すことで成立するものである。エラー解除センサがオン状態であると判定されたときには、Ｓ４６に移行し、エラー解除センサがオン状態でないと判定されたときには、Ｓ４４に移行する。
【０２２４】
Ｓ４４においては、リセットスイッチ５２（設定変更スイッチ）がＯＮ状態であるか否かが判定される。リセットスイッチ５２がＯＮ状態であると判定されたときには、Ｓ４５に移行し、オン状態でないと判定されたときには、Ｓ４１に移行する。
【０２２５】
Ｓ４５においては、前面扉５のドア開閉センサである扉センサ２０がオン状態であるか否かが判定される。オン状態であると判定されたときには、Ｓ４１に移行し、オン状態でないと判定されたときにはＳ４６に移行する。
【０２２６】
Ｓ４６において、投入センサ５３を構成する３つのセレクターセンサＡ、Ｂ、Ｃ、および、払出センサ５４を構成する２つの払出センサＡ、Ｂのいずれかがオン状態であるか否かが判定される。オン状態であると判定されたときには、Ｓ４１に移行し、オン状態でないと判定されたときにはＳ４７に移行する。
【０２２７】
Ｓ４７においては、ホッパーユニット４３（遊技メダル払出装置）および切替ソレノイド５１（キャンセルコイル）の状態を元の状態に復帰させる。Ｓ４８においては、エラーコード表示がクリア（初期化）される。Ｓ４９においては、ペイアウト表示器４６（遊技メダル払出し枚数表示器）の内容の復帰が行われる。Ｓ５０においては、遊技状態の復帰が行われる。Ｓ５１においては、サブＣＰＵ７１へエラー解除イベント（コマンド）を送信する。Ｓ５２においては、サブＣＰＵ７１へ遊技メダル払出開始イベント（コマンド）の送信判定が行われ、エラー処理が終了する。
【０２２８】
＜設定変更処理について＞
次に、図１３のＳ１０において実行される設定変更処理について図１６を用いて説明する。メインＣＰＵ６１は、設定変更処理を開始するときに、その旨を特定可能な設定変更開始コマンドをサブＣＰＵ７１に出力して設定変更処理を実行する。設定変更処理では、まずＳ６０において、メインＣＰＵ６１のＲＡＭのバックアップ不良が設定されているか否かが判定される。バックアップ不良が設定されていると判定されなかったときには、Ｓ６１において設定値情報の読み取りが行われて、Ｓ６５に移行する。このとき、設定変更処理中において設定値表示器として機能するペイアウト表示器４６に設定値を表示する。設定値表示器は、ペイアウト表示器４６などのように前面扉５が閉状態においても表示状態を確認可能となる表示器に限らず、前面扉５の裏面側に設けられており、前面扉５を開状態にしなければ表示状態を確認できない表示器であってもよい。また、設定値表示器は、他の情報を表示する表示器を兼用するものに限らず、設定値を表示するためだけに設けられた専用の表示器であってもよい。
【０２２９】
一方、バックアップ不良が設定されていると判定されたときには、Ｓ６２においてペイアウト表示器４６に「Ｃ」の表示が行われ、Ｓ６３においてリセットスイッチ５２（設定スイッチ）がオン状態になっているか否かが判定される。オン状態になっていると判定されなかったときには待機状態となり、オン状態になっていると判定されたときにはＳ６４において、設定値として「１」が設定されて、Ｓ６５に移行する。
【０２３０】
Ｓ６５においては、リセットスイッチ５２（設定スイッチ）がオン状態になっているか否かが判定される。オン状態になっていると判定されたときには、Ｓ６６で設定値の更新が行われる。一方、オン状態になっていると判定されなかったときには、Ｓ６７において、スタートスイッチ１９のオン状態が検知されたか否かが判定される。検知されたと判定されなかったときにはＳ６５へ移行する。
【０２３１】
一方、検知されたと判定されたときには、Ｓ６８において、変更処理開始スイッチ５６がオフ状態であるか否かが判定される。オフ状態であると判定されなかったときには待機状態となり、オフ状態であると判定されたときには、Ｓ６９において、設定値の確定（ＲＡＭ６５に格納）が行われて、設定変更処理が終了する。なお、設定変更処理が行われたときには、スロットマシン１のＲＡＭ６５が初期化される。これにより、Ｅ４エラーが解除される。また、メインＣＰＵ６１は、設定変更処理を終了したときに、その旨を特定可能な設定変更終了コマンドをサブＣＰＵ７１に出力する。
【０２３２】
＜サブ制御部処理について＞
スロットマシン１への電力供給が開始されると、サブＣＰＵ７１は、図１７に示すサブ制御部処理を行う。サブ制御部処理では、まずＳ９００において電源がＯＮ状態となったか否かを判定する。具体的には、電源ユニット４９からの出力電圧が所定の閾値以上となったか否かが判定される。Ｓ９００において電源がＯＮ状態となったと判定されたときには、Ｓ９０１においてセキュリティチェックや液晶表示器２７などの動作確認など所定の起動処理が行われる。その後、Ｓ９０２において、各種状態に応じた処理が行われる。
【０２３３】
＜サブ側設定変更状態処理について＞
図１８は、サブ制御部処理におけるＳ９０２の処理に含まれるサブ側設定変更状態処理を説明するためのフローチャートである。Ｓ９１０において、メインＣＰＵ６１側において設定変更処理が実行されている設定変更状態か（設定変更開始コマンドを受信したか）否かが判定される。Ｓ９１０において設定変更状態であると判定されなかったときには、サブ側設定変更状態処理を終了する。
【０２３４】
一方、Ｓ９１０において設定変更状態であると判定されたときには、図１０に示したように液晶表示器２７の表示状態が基本画面となるように制御される。また、Ｓ９１１において演出操作部８１の決定スイッチ８１ａへの操作が検出されたか否かが判定される。演出操作部８１の決定スイッチ８１ａへの操作が検出されていると判定されたときには、Ｓ９１３において管理者メニュー処理が行われる。これにより、図１０に示した管理者メニュー画面が表示される。
【０２３５】
Ｓ９１４においては、特定時間に相当するタイムアウトのタイマがセットされる。Ｓ９１５においては、演出操作部８１への操作が検出されたか否かが判定される。Ｓ９１５において演出操作部８１への操作が検出されたと判定されたときには、Ｓ９１３に移行して図１０に示したように当該操作に対応する表示あるいは設定が行われる。また、Ｓ９１４において特定時間に相当するタイムアウトのタイマが再セットされる。
【０２３６】
一方、Ｓ９１５において演出操作部８１への操作が検出されたと判定されなかったときには、Ｓ９１６においてＳ９１４でセットされたタイマがタイムアウトしたか否かが判定される。Ｓ９１６においてタイムアウトしたと判定されなかったときには、Ｓ９１７において設定変更状態が終了したか（設定変更終了コマンドを受信したか）、つまり設定変更処理が終了したか否かが判定される。Ｓ９１７において設定変更状態が終了したと判定されていないときにはＳ９１５へ移行する。Ｓ９１７において設定変更状態が終了したと判定されたときには、サブ側設定変更状態処理を終了する。
【０２３７】
これに対して、Ｓ９１６においてタイムアウトしたと判定されたときには、演出操作部８１が操作されることなく特定時間が経過したときであるため、Ｓ９１１へ移行する。これにより、図１０で示した基本画面が表示される。なお、Ｓ９１３において図１０で示した完了画面を表示した後においては、各々対応する設定後時間（第１〜第３設定後時間）が経過したときにＳ９１１へ移行し、図１０で示した基本画面が表示される。
【０２３８】
Ｓ９１１に戻り、演出操作部８１の決定スイッチ８１ａへの操作が検出されていると判定されなかったときには、Ｓ９１２において設定変更状態が終了したか否かが判定される。Ｓ９１２において設定変更状態が終了したと判定されていないときにはＳ９１１へ移行する。一方、Ｓ９１２において設定変更状態が終了したと判定されたときには、サブ側設定変更状態処理を終了する。なお、サブ側設定変更状態処理において管理者メニュー画面あるいは基本画面を終了した後においては、液晶表示器２７にデモ画面が表示される。
【０２３９】
＜サブ側遊技待機処理について＞
図１９は、サブ制御部処理におけるＳ９０２の処理に含まれるサブ側遊技待機処理を説明するためのフローチャートである。Ｓ９２０において、遊技待機状態（特定の演出が実行されていないときであって、遊技結果コマンドを受信からリール回転開始コマンドを受信するまでの間）か否かが判定される。Ｓ９２０において遊技待機状態であると判定されなかったときには、サブ側遊技待機処理を終了する。
【０２４０】
一方、Ｓ９２０において遊技待機状態であると判定されたときには、図１１に示したように液晶表示器２７に遊技画面またはデモ画面が表示される。また、Ｓ９２１においては、演出操作部８１の決定スイッチ８１ａへの操作が検出されたか否かが判定される。演出操作部８１の決定スイッチ８１ａへの操作が検出されていると判定されたときには、Ｓ９２３において遊技者メニュー処理が行われる。これにより、図１１に示した遊技者メニュー画面が表示される。
【０２４１】
Ｓ９２４においては、所定時間に相当するタイムアウトのタイマがセットされる。Ｓ９２５においては、演出操作部８１への操作が検出されたか否かが判定される。Ｓ９２５において演出操作部８１への操作が検出されたと判定されたときには、Ｓ９２３に移行して図１１に示したように当該操作に対応する表示あるいは設定が行われる。また、Ｓ９２４において所定時間に相当するタイムアウトのタイマが再セットされる。
【０２４２】
一方、Ｓ９２５において演出操作部８１への操作が検出されたと判定されなかったときには、Ｓ９２６においてＳ９２４でセットされたタイマがタイムアウトしたか否かが判定される。Ｓ９２６においてタイムアウトしたと判定されなかったときには、Ｓ９２７において賭数設定（ＢＥＴ）されるかまたはスタートスイッチ１９（スタートレバー）が操作されたか（ベットコマンドあるいはリール回転開始コマンドを受信したか）否かが判定される。
【０２４３】
Ｓ９２７において賭数設定もスタートスイッチ１９が操作されたとも判定されていないときにはＳ９２５へ移行する。Ｓ９２７において賭数設定されるかまたはスタートスイッチ１９が操作されたと判定されたときには、サブ側遊技待機処理を終了する。これにより、図１１で示した遊技画面が表示される。これに対して、Ｓ９２６においてタイムアウトしたと判定されたときには、演出操作部８１が操作されることなく所定時間が経過したときであるため、Ｓ９２１へ移行する。これにより、図１１で示したデモ画面が表示される。
【０２４４】
Ｓ９２１に戻り、演出操作部８１の決定スイッチ８１ａへの操作が検出されていると判定されなかったときには、Ｓ９２２において賭数設定されるかまたはスタートスイッチ１９が操作されたか否かが判定される。Ｓ９２２において賭数設定もスタートスイッチ１９が操作されたとも判定されていないときにはＳ９２１へ移行する。一方、Ｓ９２２において賭数設定されるかまたはスタートスイッチ１９が操作されたと判定されたときには、サブ側遊技待機処理を終了する。これにより、図１１で示した遊技画面が表示される。
【０２４５】
＜サブ側エラー報知処理について＞
図２０は、サブ側エラー報知処理を説明するためのフローチャートである。Ｓ９３０においては、メインＣＰＵ６１からの送信用コマンドを受信したか否かが判定される。送信用コマンドは、図１４のタイマ割込処理において、Ｓ２０の監視結果に基づきＳ２２において送信されるコマンドである。Ｓ９３０において送信用コマンドを受信したと判定されなかったときには、サブ側エラー報知処理を終了する。
【０２４６】
Ｓ９３０において送信用コマンドを受信したと判定されたときには、Ｓ９３１において当該送信用コマンドが前面扉５のドア状態に関するコマンドであるか否かが判定される。Ｓ９３１において送信用コマンドが前面扉５のドア状態に関するコマンドであると判定されなかったときには、Ｓ９３２において送信用コマンドに対応するエラー報知が行われる。具体的には、スピーカ３１Ｌ、３１Ｒから「エラーです」といった音声が出力され、液晶表示器２７には例えば「Ｅ３」等のエラーコードの表示が行われる。なお、エラー報知時における音量は、管理者により設定される基準音量や遊技者により調整される音量となるが、これに限らず、管理者により設定される基準音量や遊技者により調整される音量にかかわらずに所定の音量（例えば、最大音量）となるようにしてもよい。
【０２４７】
Ｓ９３３においては、エラーフラグを受信したか否かが判定される。エラーフラグは、エラー発生後における図１５のエラー処理のＳ３６において送信されるフラグである。エラーフラグを受信したと判定されたときには、Ｓ９３４において対応するエラー報知が再度行われる。
【０２４８】
Ｓ９３５においては、エラー解除イベントを受信しているか否かが判定される。エラー解除イベントは、図１５のエラー処理においてエラー解除後のＳ５１において送信されるイベントである。エラー解除イベントを受信していると判定されなかったときには、待機状態となり、エラー報知を継続する。一方、エラー解除イベントを受信していると判定されたときには、Ｓ９３６においてエラー報知がクリア（初期化）され、サブ側エラー報知処理を終了する。
【０２４９】
一方、Ｓ９３１においてドア状態に関するコマンドを受信したと判定されたときには、Ｓ９３７において、前面扉５が開状態であるか否かが判定される。前面扉５が開状態であると判定されたときには、Ｓ９３９においてエラー報知が行われて、サブ側エラー報知処理を終了する。一方、Ｓ９３７において前面扉５が開状態であると判定されなかったときには、前面扉５が閉状態となったときであるため、Ｓ９３８においてエラー報知がクリア（初期化）され、サブ側エラー報知処理を終了する。なお、後述する基準音量情報、許否情報、エコモードか否かを特定するための情報、エラー履歴表示に用いる情報などについては、エラー報知を特定するため情報を記憶する記憶領域とは異なる記憶領域に格納される。このため、基準音量情報、許否情報、エコモードか否かを特定するための情報、エラー履歴表示に用いる情報などについては、エラー解除に伴ってエラー報知がクリアされること（つまりエラー解除されること）によっては初期化されることがない。
【０２５０】
＜音量調整関連処理について＞
図２１は、サブＣＰＵ７１により実行される音量調整関連処理を説明するためのフローチャートである。音量調整関連処理は、スロットマシン１が正常に動作しているときのみならずエラーが発生しているときであっても実行される。また、図２２は、液晶表示器２７において表示される基準音量設定画面および遊技者音量調整許否設定画面の一例を説明するための図である。図２２（ａ）に示すように遊技中においては、遊技の進行に応じた遊技画面が液晶表示器２７に表示される。この状態において、図２１のＳ９５０においては、前面扉５のドア状態が開状態であるか否かが判定される。前面扉５が開状態であると判定されなかったときには、音量調整関連処理を終了して遊技画面の表示が継続される。
【０２５１】
一方、前面扉５が開状態であると判定されたとき、つまり前面扉５が開放されているときには、図２２（ｂ）に示すように液晶表示器２７の上部において「扉が開いています」といったメッセージが表示されるとともに、「扉が開いています」といった音声がスピーカ３１Ｌ、３１Ｒから繰り返し出力される。「扉が開いています」といった音声の音量は、管理者により設定される基準音量や遊技者により調整される音量となるが、これに限らず、管理者により設定される基準音量や遊技者により調整される音量にかかわらずに所定の音量（例えば、最大音量）となるようにしてもよい。なお、図２２（ｂ）に示す画面においては、例えば、「決定スイッチへの操作により基準音量等を設定可能です。また、変更処理開始スイッチへの操作により設定確認およびエコモード等を設定可能です。」といった案内メッセージを表示するようにしてもよい。
【０２５２】
また、前面扉５が開状態であると判定されたときには、図２１のＳ９５１において変更処理開始スイッチ５６がＯＮにされており設定確認状態中であるか否かが判定される。変更処理開始スイッチ５６がＯＦＦでありＳ９５１において設定確認状態中であると判定されなかったときには、Ｓ９６０において演出操作部８１の決定スイッチ８１ａが操作されたか否かが判定される。Ｓ９６０において演出操作部８１の決定スイッチ８１ａが操作されたと判定されなかったときには、音量調整関連処理を終了する。なお、この場合（Ｓ９６０でＮＯ）において、前面扉５が開状態であると判定されているときでは図２２（ｂ）に示す画面や、「扉が開いています」といった音声は継続される。
【０２５３】
一方、Ｓ９６０において演出操作部８１の決定スイッチ８１ａが操作されたと判定されたときには、Ｓ９６１に移行して基準音量設定処理を行う。基準音量設定処理では、図２２（ｃ）に例示される基準音量設定画面を液晶表示器２７に表示するとともに、基準音量を設定するための処理を行う。
【０２５４】
基準音量設定画面としては、図２２（ｃ）に示すように、「扉が開いています」といったメッセージが継続して表示されるとともに、画面下方において「音量調整」といったメッセージの右側において基準音量を想起させる画像が表示される。図２３は、基準音量設定処理において設定可能となる基準音量を説明するための図である。基準音量としては、１〜５の５段階が定められている。このため、図２２（ｃ）に示すように、基準音量を想起させる画像として、高さの異なる棒状の画像が５本表示され、左から４本までの棒状画像が反転して表示されているため、現在選択されている基準音量が「４」であることを示している。基準音量を想起させる画像は、現在選択されており決定スイッチ８１ａなどへの設定操作に応じて設定されることとなる基準音量を特定可能となる選択度合画像であるともいえる。
【０２５５】
設定可能となる基準音量には、各々、図２３に示すように、音量を遊技者が調整できる調整可能範囲と、設定直後の音量（初期音量）とが定められている。音量の調整可能範囲としては、最小１から最大１０に定められている。例えば、基準音量「１」については、調整可能範囲として「１〜６」が定められ、設定直後の音量として「６」が定められている。また、基準音量「４」については、調整可能範囲として「１〜９」が定められ、設定直後の音量として「９」が定められている。このため、基準音量が大きくなる程、遊技者が調整できる音量の範囲も広くなるとともに、設定可能となる音量および設定直後の音量も大きくなる。
【０２５６】
基準音量として最小の「１」が設定されたときには、「エコモード」設定によりエコモード（エコ機能有効）に設定されているか否かにかかわらず、エコモードに設定されている状態と同じ状態に制御される。つまり、基準音量「１」が設定されたときには、図２３に示す調整可能範囲や設定直後の音量のみならず、基準音量「２」以上の場合と比較して、消費電力が節約されるように、ＬＥＤ、スピーカ３１Ｌ、３１Ｒ、液晶表示器２７等の機器類が制御される。
【０２５７】
基準音量設定処理においては、演出操作部８１の上下スイッチへの操作により基準音量１〜５のいずれかが選択される。例えば、上スイッチへの操作により現在選択中の基準音量を一つ上の基準音量に切り替え、下スイッチへの操作により現在選択中の基準音量を一つ下の基準音量に切り替える。また、上下スイッチへの操作に応じて、基準音量を想起させる画像（選択度合画像の反転位置）も更新表示される。なお、図２２（ｃ）に示す画面においては、例えば、「上スイッチへの操作により基準音量ＵＰ。下スイッチへの操作により基準音量ＤＯＷＮ。」といった案内メッセージを表示するようにしてもよい。
【０２５８】
図２１のＳ９６２においては、演出操作部８１の決定スイッチ８１ａが操作されたか否かが判定される。演出操作部８１の決定スイッチ８１ａが操作されたと判定されなかったときには、Ｓ９６７において前面扉５が閉められてドア状態が閉状態となったか否かを判定する。ドア状態が閉状態となっていると判定されなかったときには、Ｓ９６１へ移行し基準音量設定処理が継続する。これにより、基準音量設定画面が継続して表示される。
【０２５９】
基準音量設定画面が表示されているときにおいて前面扉５が閉められて、Ｓ９６７においてドア状態が閉状態となっていると判定されたときには、選択されている基準音量をＳ９６８において設定（ＲＡＭ７５の特定領域に基準音量情報を格納）し、音量調整関連処理を終了する。これにより、図２２（ａ）に示すように遊技画面に切り替えられて、遊技が再開可能となる。また、以降の遊技に応じた遊技音は、設定された基準音量に従った音量で出力される。ＲＡＭ７５に格納された基準音量情報は、基準音量設定処理が開始されることによっては更新されず、当該基準音量設定処理において設定されている基準音量とは異なる基準音量が選択されて設定されることにより更新される。
【０２６０】
これに対し、基準音量設定画面が表示されているときにおいて演出操作部８１の決定スイッチ８１ａが操作されて、Ｓ９６２において決定スイッチ８１ａが操作されたと判定されたときには、選択されている基準音量をＳ９６３において設定（ＲＡＭ７５の所定領域に基準音量情報を格納）し、Ｓ９６４へ移行して遊技者音量調整許否設定処理を行う。遊技者音量調整許否設定処理では、図２２（ｄ）に例示される遊技者音量調整許否画面を液晶表示器２７に表示するとともに、遊技者音量調整の許否を設定するための処理を行う。
【０２６１】
遊技者音量調整許否画面としては、図２２（ｄ）に示すように、前述した基準音量設定画面の一部に別ウィンドウを重畳させ、当該別ウィンドウ内において「遊技者音量調整  遊技者メニュー画面で音量調整できます。」といったメッセージとともに、音量調整を許可する「ＯＮ」項目と、音量調整を許可しない「ＯＦＦ」項目とが表示される。遊技者音量調整許否画面が表示されるときであっても、基準音量設定画面における基準音量を想起させる画像（選択度合画像）が表示される。遊技者音量調整許否設定処理においては、演出操作部８１の左右スイッチへの操作により「ＯＮ」または「ＯＦＦ」のいずれかが選択される。例えば、左スイッチへの操作により「ＯＮ」に切り替え、右スイッチへの操作により「ＯＦＦ」に切り替える。なお、遊技者音量調整許否画面は、別ウィンドウにて表示するものに限らず、例えば、液晶表示器２７の全表示領域を遊技者音量調整許否画面に切り替えることにより行われるものであってもよい。また、図２２（ｄ）に示す画面においては、例えば、「右スイッチへの操作により遊技者音量調整機能ＯＦＦ。左スイッチへの操作により遊技者音量調整機能ＯＮ。」といった案内メッセージを表示するようにしてもよい。
【０２６２】
図２１のＳ９６５においては、演出操作部８１の決定スイッチ８１ａが操作されたか、あるいは前面扉５のドア状態が閉状態となったか否かが判定される。Ｓ９６５においては、Ｓ９６２およびＳ９６７各々において判定対象となる操作のいずれかが行われたか否かが判定される。遊技者音量調整許否画面が表示されているときにおいて演出操作部８１の決定スイッチ８１ａが操作されるか前面扉５が閉められることにより、Ｓ９６５において決定スイッチ８１ａが操作されたと判定されたか、前面扉５のドア状態が閉状態となったと判定されたときには、遊技者による音量調整を許可するか否かについて選択されている状態を特定するための許否情報をＳ９６６において設定（ＲＡＭ７５の所定領域に許否情報を格納）し、音量調整関連処理を終了する。これにより、図２２（ａ）に示すように遊技画面に切り替えられて、遊技が再開可能となる。また、以降の遊技においてＲＡＭ７５に格納された許否情報に基づいて遊技音による音量調整が許可あるいは不許可となる。ＲＡＭ７５に格納された許否情報は、基準音量設定処理や遊技者音量調整許否設定処理が開始されることによっては更新されず、当該遊技者音量調整許否設定処理において設定されている許否情報とは異なる許否情報が選択されて設定されることにより更新される。
【０２６３】
図２１のＳ９５１に戻り、変更処理開始スイッチ５６がＯＮにされており設定確認状態中であると判定されたときには、例えば、現在の設定値がペイアウト表示器４６に表示されるとともに、液晶表示器２７に「エコ機能有効」項目と「エコ機能無効」項目とが表示されて「エコモード設定」が可能となる。演出操作部８１の上下左右スイッチを操作することにより、「エコ機能有効」項目と「エコ機能無効」項目とのうちのいずれかを選択可能となる。液晶表示器２７においては、「エコ機能有効」項目および「エコ機能無効」項目とともに、「決定スイッチへの操作によりエラー履歴表示されます」といったメッセージが表示される。
【０２６４】
Ｓ９５２においては、演出操作部８１の決定スイッチ８１ａが操作されたか否かを判定する。演出操作部８１の決定スイッチ８１ａが操作されたと判定されるまで、「エコ機能有効」項目と「エコ機能無効」項目とを選択可能となる。演出操作部８１の決定スイッチ８１ａが操作されたと判定されたときには、「エコ機能有効」項目および「エコ機能無効」項目のうち選択されていた項目を設定し、Ｓ９５３においてエラー履歴表示処理が行われる。
【０２６５】
エラー履歴表示処理では、各種エラーについての履歴が表示される。例えば、各種エラーについて前回発生した日時等を特定可能な情報（例えば、５分前、２日前等）が表示される。図２４は、各種エラーについて説明するための図である。図２４には、左から、「エラー名称」、エラーの「コード」、エラー発生時のペイアウト表示器４６における「７セグ表示」、エラー発生時の「状態」がエラー毎に示されている。図２４に示される「状態」となると「エラー名称」に記載のエラーが発生したことを検出し、ペイアウト表示器４６における表示状態が「７セグ表示」に例示する状態（コードに対応する「Ｅ」と「０〜７、Ａ」のいずれかとの組合せ）となり、エラー報知が行われる。発生したエラー履歴は、エラー毎に日時とともにＲＡＭ７５に記憶されている。エラー履歴表示処理では、ＲＡＭ７５に記憶されているエラー履歴に基づいて、各種エラーについて前回発生した日時等を特定可能な情報（エラー履歴表示ともいう）が表示される。
【０２６６】
本実施形態におけるエラー履歴表示は、「エコモード設定」画面の一部に別ウィンドウを重畳させ、エラー履歴を当該ウィンドウ内において表示される。しかし、エラー履歴表示は、前述した「エコモード設定」画面における液晶表示器２７の全表示領域をエラー履歴表示画面に切り替えることにより行われるようにしてもよい。
【０２６７】
エラー履歴表示処理では、例えば、複数種類のエラーのうちのある種類のエラーについてのエラー履歴を表示し、演出操作部８１の左右スイッチ（または上下スイッチ）への操作により、別の種類のエラーについてのエラー履歴に切り替えて表示する（エラー履歴表示の頁を切り替えて表示可能）。なお、エラー履歴表示処理におけるエラー履歴表示は、エラー履歴を特定可能となる態様で表示されるものであればこれに限らず、例えば、エラーの発生順に所定数のエラー履歴を表示し、演出操作部８１の左右スイッチ（または上下スイッチ）への操作により、エラー発生順に基づく次の所定数のエラー履歴に切り替えて表示するようにしてもよい。
【０２６８】
Ｓ９５４においては、演出操作部８１の決定スイッチ８１ａが操作されたか否かを判定する。演出操作部８１の決定スイッチ８１ａが操作されたと判定されるまで、Ｓ９５３におけるエラー履歴表示処理が行われる。演出操作部８１の決定スイッチ８１ａが操作されたと判定されたときには、Ｓ９５５においてエラー履歴表示を終了する。
【０２６９】
Ｓ９５１において設定確認状態中であると判定されたときには、変更処理開始スイッチ５６がＯＦＦとなるまで、Ｓ９５２〜Ｓ９５５のいずれの処理を実行中であっても設定値がペイアウト表示器４６に表示された設定確認状態が維持される。なお、変更処理開始スイッチ５６をＯＦＦとした場合には、設定確認状態が終了して通常の状態に戻り、決定スイッチ８１ａへの操作に応じて基準音量設定が可能な基準音量設定画面へ移行される。「エコ機能有効」項目と「エコ機能無効」項目とのいずれかを選択中に変更処理開始スイッチ５６をＯＦＦとした場合には、「エコ機能有効」項目および「エコ機能無効」項目のうち選択されている項目に設定して通常の状態に戻るようにしてもよく、前回設定された状態を維持したまま通常の状態に戻るようにしてもよい。液晶表示器２７については、Ｓ９５２〜Ｓ９５５で示したように、演出操作部８１への操作に応じた表示状態に更新される。Ｓ９５５においてエラー履歴表示を終了した後における液晶表示器２７の表示状態は、すでに「エコモード設定」が終了した後であるため、図１０で示した黒画面（基本画面）と同様の画面となる。なお、エラー履歴表示を終了した後における液晶表示器２７の表示状態は、これに限らず、エラー履歴表示前の「エコモード設定」画面に戻るものであってもよく、この場合、再度「エコモード設定」を行うことができるようにしてもよく、「エコモード設定」画面が表示されるものの「エコモード設定」を行うことができないようにしてもよい。
【０２７０】
＜スロットマシン１により奏される効果の例＞
上記実施形態のスロットマシン１においては、第２設定可能状態である基準音量設定画面が表示されている状態（図２２（ｃ））において演出効果の度合いとしての基準音量を設定可能となる。基準音量は、演出操作部８１の上下ボタンにより選択し、第１設定操作としての決定スイッチ８１ａが操作されて設定されたときには、引き続き許否設定状態としての遊技者音量調整許否設定画面が表示されている状態（図２２（ｄ））に移行される。一方、第２設定操作としての前面扉５を閉じた状態（その旨を扉センサ２０により検出）とすることにより基準音量が設定されたときには、音量調整関連処理を終了する。このため、遊技店における運営方針等に則って、管理者は必要に応じた設定操作を行うことにより、不必要なときにまで遊技者音量調整許否設定画面に移行させてしまうことを防止できる。その結果、管理者の利便性を向上させるとともに管理者の管理操作を簡素化できる。
【０２７１】
また、基準音量設定画面においては、決定スイッチ８１ａが操作（図２１のＳ９６２）されるか前面扉５を閉じた状態にする（図２１のＳ９６７）ことにより基準音量が設定（図２１のＳ９６３、Ｓ９６８）され、基準音量設定画面に移行されることのみでは基準音量が変更されてしまう（例えば、前回設定時の基準音量からデフォルトの基準音量が設定されてしまう等）ことがない。このため、管理者の意図に反して気付かない間に度合いが変更されてしまうような不都合の発生を防止できる。
【０２７２】
また、遊技者音量調整許否設定画面においては、決定スイッチ８１ａが操作されるか前面扉５を閉じた状態にする（図２１のＳ９６５）ことにより許否情報が設定（図２１のＳ９６６）され、基準音量設定画面あるいは遊技者音量調整許否設定画面に移行することのみでは許否情報が変更されてしまう（例えば、前回設定時の許否情報からデフォルトの許否情報が設定されてしまう等）ことがない。このため、管理者の意図に反して気付かない間に許否情報が変更されてしまうような不都合の発生を防止できる。また、基準音量設定画面に移行させたとしても、必要に応じて遊技者音量調整許否設定画面に移行させて許否情報を設定することで事足りるため不必要な手間を生じさせてしまうことを防止できる。
【０２７３】
また、基準音量設定画面においては、図２２（ｃ）に示すように、現在選択されており設定操作に応じて設定されることとなる基準音量を特定可能となる選択度合画像が表示される。また、決定スイッチ８１ａが操作されることにより基準音量が設定された後においても、図２２（ｄ）に示すように、選択度合画像の表示を維持したまま、「遊技者音量調整許否設定」が可能な状態に制御する。このように、「遊技者音量調整許否設定」が可能な状態においても設定された基準音量を確認でき、管理者の意図していない度合いに設定されたまま遊技が再開されてしまうことを防止できる。
【０２７４】
また、ＲＡＭ７５において遊技の進行に応じて更新される情報を含む特定情報が格納される記憶領域とは異なる記憶領域において、基準音量情報および許否情報を格納する。基準音量情報および許否情報が格納される記憶領域は、「サブクリア」や設定変更されたとしても初期化されずに維持される。このため、「サブクリア」や設定変更のたびに、基準音量情報および許否情報を設定し直すような手間を生じさせてしまうことを防止できる。また、設定変更されたか否かが基準音量情報や許否情報の変更状態から特定されてしまうような不都合の発生を防止できる。
【０２７５】
また、基準音量情報および許否情報が格納される記憶領域は、エラー発生することやエラー解除されたとしても初期化されずに維持される。このため、エラー発生やエラー解除のたびに、基準音量情報および許否情報を設定し直すような手間を生じさせてしまうことを防止できる。
【０２７６】
また、基準音量設定画面へは、図２１のＳ９５０、Ｓ９６０に示すように、前面扉５を開放状態（その旨を扉センサ２０により検出）であるときに、決定スイッチ８１ａが操作されることにより移行される。このため、管理者とは異なる例えば遊技者により基準音量設定画面に移行されてしまい、管理者の意図していない設定状態で遊技が行われてしまうことを防止できる。
【０２７７】
また、設定値にかかわる処理により設定確認状態に制御されているときには、図２１のＳ９５１〜Ｓ９５５で示したように、前面扉５を開放状態であるときに決定スイッチ８１ａが操作されたとしても基準音量設定画面へ移行されない。このため、設定確認状態において「基準音量設定」が可能な状態にも制御されてしまい、管理者の注意力が分散されることにより設定値確認等を誤ってしまうこと（読み違えてしまう等）を防止できる。
【０２７８】
また、エラー報知は、前面扉５を開放状態にしてエラーの発生事項（メダル詰まり、メダル切れ等）を解消させた後に、リセットスイッチ５２等への操作により解除される。また、エラー報知中においても、図２１に示す音量調整関連処理は実行可能である。このため、エラー報知中にエラー解除すべく前面扉５を開放状態とした際に、合せて「基準音量設定」が可能な状態に制御させることが可能となるため、管理者の操作性を向上させることができる。
【０２７９】
＜変形例＞
上記実施形態は全ての点で例示であって制限的なものではないと考えられるべきである。本発明の範囲は特許請求の範囲によって示され、特許請求の範囲と均等の意味および範囲内での全ての変更が含まれることが意図される。以下に、実施形態に対する変更を例示する。
【０２８０】
（基準音量関連処理について）
上記実施形態では、基準音量設定画面が表示されている状態（第２設定可能状態）において設定可能となる演出効果の度合いとして、調整可能となる最大音量および初期音量が異なる複数の基準音量を例示した。しかし、複数の基準音量は、調整可能となる最大音量のみならず、調整可能となる最小音量も異なるものであってもよい。また、基準音量設定画面において設定可能となる演出効果の度合いは、基準音量のような調整可能な範囲を設定するものに限らず、調整可能な全範囲（最小１〜最大１０）からスロットマシンへの電源投入後の音量（例えば「５」等）を設定するものであってもよい。この場合、遊技者による音量調整が許可されているときには、当該電源投入後の音量から他の音量（最小１〜最大１０のいずれか）に調整できるようにしてもよい。
【０２８１】
また、設定可能となる演出効果の度合いとしてスピーカ３１Ｌ、３１Ｒの音量の度合いを例示したが、設定可能となる演出効果の度合いは、これに限らず、遊技音を出力するスピーカの数（２つのスピーカから出力、１つのスピーカから出力）であってもよい。また、設定可能となる演出効果の度合いは、音にかんする度合いに限らず、ランプ部３３Ｌ、３３Ｍ、３３Ｒなどから発する光量・輝度等であってもよく、また、光を発するランプ部の数であってもよく、また、液晶表示器２７のバックライト輝度等であってもよい。
【０２８２】
上記実施形態および変形例では、第１設定操作として決定スイッチ８１ａへの操作を例示したが、第１設定操作としては、これに限らず、スタートスイッチ１９やストップスイッチ２１Ｌ〜２１Ｒ等への操作や、液晶表示器２７がタッチパネル式の表示器である場合に当該タッチパネルへの操作などであってもよい。また、第２設定操作として、遊技画面に切り替えられて遊技が再開可能となる前面扉５を閉状態とする操作を例示した。これにより、遊技を再開可能にするための操作が不要となり、管理者の操作負担を軽減できる。しかし、第２設定操作としては、第１設定操作と異なる操作であればこれに限らず、スタートスイッチ１９やストップスイッチ２１Ｌ〜２１Ｒ等への操作や、液晶表示器２７がタッチパネル式の表示器である場合に当該タッチパネルへの操作などであってもよい。
【０２８３】
上記実施形態および変形例における「遊技者音量調整許否設定」が可能な状態においては、当該状態への移行契機となった決定スイッチ８１ａへの操作により基準音量が既に設定されているため、新たに基準音量を選択して設定することができない（その必要がない）例について説明した。しかし、これに限らず、「遊技者音量調整許否設定」が可能な状態においては、許否情報を選択して設定するとともに、基準音量についても引き続き選択して設定することができるようにしてもよい。例えば、基準音量設定画面において決定スイッチ８１ａが操作されたときには、Ｓ９６３を行わず、Ｓ９６５においてＹＥＳと判定されるまで、Ｓ９６１における基準音量設定処理に相当する処理とＳ９６４における遊技者音量調整許否設定処理に相当する処理とを繰り返し実行し、Ｓ９６５においてＹＥＳと判定されたときには、Ｓ９６６とともにＳ９６３を行って選択されている基準音量および許否情報が設定されるようにしてもよい。なお、この場合における基準音量設定処理に相当する処理においては、演出操作部８１の上下スイッチにより基準音量を選択し、遊技者音量調整許否設定処理に相当する処理においては、演出操作部８１の左右スイッチにより基準音量を選択するようにしてもよい。
【０２８４】
上記実施形態および変形例では、設定値にかかわる処理を実行可能な設定関連状態として、設定値を確認する設定確認状態を例示し、当該設定確認状態中であるときには、図２１のＳ９５１に示したように、基準音量設定画面に移行させない例について説明した。しかし、設定関連状態としては、設定確認状態に限らず、これに替えてあるいは加えて、設定値を変更可能な設定変更処理が行われている設定変更状態としてもよい。また、設定変更状態中であるときには、基準音量設定画面に移行させないようにしてもよい。
【０２８５】
上記実施形態および変形例では、設定関連状態中を除いて、前面扉５が開放されているときに決定スイッチ８１ａが操作されることにより基準音量設定画面に移行される例について説明した。しかし、基準音量設定画面へは、さらにペイアウト表示器４６に情報が表示されていないこと（例えば、小役入賞によりペイアウト表示器４６に払出枚数が表示されていないこと等）を条件として移行可能となるようにしてもよい。つまり、基準音量設定画面へは、ペイアウト表示器４６に情報が表示されていない状態において、前面扉５が開放され、決定スイッチ８１ａが操作されることにより移行されるようにしてもよい。
【０２８６】
また、前面扉５が開放されているときに変更処理開始スイッチ５６をＯＮにすることにより「エコモード設定」が可能な状態に移行される例について説明した。しかし、「エコモード設定」が可能な状態へは、さらにペイアウト表示器４６に情報が表示されていないことを条件として移行可能となるようにしてもよい。つまり、「エコモード設定」が可能な状態へは、ペイアウト表示器４６に情報が表示されていない状態において、前面扉５が開放され、変更処理開始スイッチ５６をＯＮにすることにより移行されるようにしてもよい。また、「ペイアウト表示器４６に情報が表示されていないこと」の具体例として、「払出枚数が表示されていないこと」を挙げたが、これに限らず、例えば図２４に示したような「エラーコードが表示されていないこと（エラー中でないこと）」であってもよい。これは、ペイアウト表示器４６に現在設定されている設定値を表示するに際して、払出枚数やエラーコードが表示された状態の場合、設定値であるか、払出枚数であるか、エラーコードであるか分かり難くなってしまうことを防ぐためである。また、「ペイアウト表示器４６に情報が表示されていないこと」を条件としていたが、これに限らず、例えば再遊技中（リプレイ中）以外であることや、賭数設定されていないこと等を条件としてもよい。なお、ここに挙げた条件はこれらのうち何れかが単体で成立することや、複数が組み合わさって成立することも含む。
【０２８７】
上記実施形態および変形例では、エラー報知中であっても、図２１に示す音量調整関連処理を実行することにより基準音量設定および遊技者音量調整許否設定を行うことができる例について説明した。しかし、発生しているエラーの種類が特定種類であるときには、音量調整関連処理が実行されないようにし、基準音量設定および遊技者音量調整許否設定を行うことができないようにしてもよい。特定種類のエラーは、例えば、エラー解除に設定変更を要するＥ４エラーであってもよい。エラー解除に設定変更を要するエラー報知中においては、基準音量設定および遊技者音量調整許否設定ができないようにし、エラー解除に設定変更を要しないエラー（例えばＥ３エラー等）報知中においては、音量調整関連処理を実行し、管理者からの操作に応じて基準音量設定および遊技者音量調整許否設定を行うことができるようにしてもよい。これにより、エラーの重要度に応じて、管理者をエラー解除に集中させることができる。
【０２８８】
（管理者メニュー状態および管理者メニュー画面について）
上記実施形態においては、設定変更処理に移行させることにより管理者メニュー状態に制御可能となり、管理者メニュー画面を表示できる例について説明した。しかし、管理者メニュー状態は、管理者による操作によって制御可能となるものであれば設定変更処理に移行させる場合に限らず、例えば、電源が投入された状態で変更処理開始スイッチ５６をＯＮにすることにより制御されて現在の設定値を確認することができる設定確認状態において、管理者メニュー状態に制御して管理者メニュー画面を表示可能としてもよい。なお、設定確認状態中に制御される管理者メニュー状態においても、管理者メニュー画面の表示制御については、設定変更処理中に制御される管理者メニュー状態と同じ処理（図１０等参照）が実行される。すなわち、設定確認状態中においても液晶表示器２７の表示領域が基本画面となるように制御され、演出操作部８１の決定スイッチ８１ａが操作されることにより管理者メニュー画面を液晶表示器２７に表示し、演出操作部８１への操作に応じて管理項目を選択あるいは設定する。また、いずれかの管理項目が設定された場合には、完了画面を表示した後、第１〜第３設定後時間が経過したときに基本画面に遷移する。また、演出操作部８１が操作されることなく特定時間が経過したときに、管理者メニュー画面を終了して基本画面に遷移する。また、設定確認状態において変更処理開始スイッチ５６をＯＦＦにして設定確認状態を終了することにより、当該管理者メニュー状態を終了させるとともに管理者メニュー画面の表示を終了させる。この場合は、設定変更処理が終了したときと同様に、液晶表示器２７にデモ画面が表示される。これにより、管理者のみが確認・設定すべき管理者メニュー画面が遊技者に見られてしまう可能性を低減できる。
【０２８９】
また、設定変更処理中あるいは設定確認状態中においては、特定の操作（演出操作部８１の決定スイッチ８１ａへの操作）を契機として、基本画面から管理者メニュー画面に遷移する例について説明したが、これに限らず、例えば設定変更処理あるいは設定確認状態が開始されたときには、特定の操作を待たずして、管理者メニュー画面に遷移するようにしてもよい。
【０２９０】
上記実施形態においては、管理者メニュー画面の表示を終了した際に、表示されていた管理項目の種類にかかわらず共通の基本画面を表示する例について説明した。しかし、管理者メニュー画面の表示を終了した際の液晶表示器２７の表示状態は、表示あるいは設定された管理項目が特定不能となる表示状態であればこれに限らず、例えば、所定のキャラクタが表示される画面であってもよく、また、複数種類の画面を所定の順番で表示することにより管理者メニュー画面の表示を終了する毎に異なる画面が表示されるものであってもよい。
【０２９１】
上記実施形態においては、管理項目として「サブクリア」「日時設定」「設定変更履歴」「携帯連動サービス設定」「エコモード設定」「基準音量設定」「遊技者音量調整許否設定」などを例示した。しかし、管理項目は、これに限らず、これらに替えてあるいは加えて、例えば、発生したエラー履歴を表示する「エラー履歴」や、前面扉５が開放された履歴を表示する「ドア開放履歴」、払出されたメダルの総数を表示する「トータルメダル」などが定められているものであってもよい。
【０２９２】
また、管理者メニュー画面では、管理項目をひとつずつ所定の順番で表示する例について説明した。しかし、管理者メニュー画面は、遊技者メニュー画面のメニュートップのように、複数の管理項目を第１階層の画面として表示し、いずれかの管理項目が選択されると当該管理項目に対応する画面を第２階層の画面として表示し、当該第２階層以下の階層の画面において管理項目の表示や設定を行うものであってもよい。この場合、管理者メニュー画面として第２階層以下の階層の画面を表示しているときに、演出操作部８１が操作されることなく特定時間が経過したときには、当該第２階層以下の階層の画面の表示を終了して、管理者メニュー画面のメニュートップ画面（第１階層の画面）に遷移するようにしてもよい。この場合におけるメニュートップ画面は、表示される複数の管理項目のいずれも選択されていない状態（カーソルや反転表示などがされていない状態）で表示されるものであってもよく、また、複数の管理項目のうちデフォルトとして定められている管理項目が選択されている状態で表示されるものであってもよい。これにより、管理者メニュー画面のメニュートップ画面からでは、表示されていた管理項目を特定することができない（管理項目が特定不能となる）。その結果、管理者のみが確認・設定すべき管理者メニュー画面のうちの第２階層以下の階層の画面が遊技者に見られてしまう可能性を低減できる。同様に、管理者メニュー画面のうち第２階層以下の階層の画面において演出操作部８１が操作されて管理項目が設定されたときには、完了画面を設定後時間にわたり表示した後に、上記実施形態のように基本画面に遷移するようにしてもよく、また、管理者メニュー画面のメニュートップ画面（第１階層の画面）に遷移するようにしてもよい。また、管理者メニュー画面のメニュートップ画面を表示しているときに演出操作部８１が操作されることなく特定時間（あるいは特定時間よりも長く所定時間よりも短い時間）が経過したときには、当該メニュートップ画面の表示を終了して、上記実施形態のように基本画面に遷移するようにしてもよい。また、管理者メニュー画面を第１階層の画面と第２階層の画面とを含む複数階層の画面から構成する場合においては、例えば、第２階層以下の階層の画面を表示しているときに前面扉５を閉状態とすることにより、第１階層の画面（メニュートップ画面）に遷移するようにしてもよい。
【０２９３】
また、「設定変更履歴」としては、設定変更処理を実行した過去所定回数分の日時を表示する例について説明した。しかし、「設定変更履歴」としては、設定変更処理を実行した過去所定回数分の日時とともに、設定された設定値を表示するようにしてもよい。この場合、メインＣＰＵ６１は、設定変更処理において設定された設定値を特定可能な設定値コマンドをサブＣＰＵ７１に出力し、設定された設定値をＲＡＭ７５に蓄積するようにしてもよい。
【０２９４】
上記実施形態では、完了画面として設定された管理項目が特定可能となる画面を例示した。しかし、完了画面は、設定が完了している旨を報知する画面であればこれに限らず、例えば、設定された管理項目が特定不能となる画面（例えば、「設定完了」といったメッセージを報知する画面）であってもよい。つまり、演出制御手段は、第２メニュー状態においていずれかの管理項目が設定されたときから設定後時間が経過するまでの間においても、当該設定した管理項目にかかわらず共通の設定完了表示を表示することにより設定した管理項目が特定不能となるように制御し、設定後時間が経過したときに設定完了表示を終了しつつその後においても継続して当該設定した管理項目が特定不能となるように表示領域を制御するものであってもよい。この場合、設定された管理項目にかかわらず完了画面を共通化することができるとともに、設定された管理項目を特定不能にすることができる。
【０２９５】
上記実施形態では、設定変更処理に移行されると、図１３のＳ０３において仮にＲＡＭエラーフラグが設定されているときであっても、管理者メニュー状態に制御して管理者メニュー画面を表示できる例について説明した。しかし、ＲＡＭエラーフラグが設定されているときには、設定変更処理において例えばリセットスイッチ５２（設定スイッチ）が操作されて設定値が更新されるか、さらにスタートスイッチ１９が操作されて設定する設定値が確定するまでは、管理者メニュー状態に制御せず、管理者メニュー画面を表示できないようにしてもよい。これにより、ＲＡＭエラーが生じている状態で管理者メニュー画面が表示されてしまうことを防止できる。
【０２９６】
（特定時間、所定時間、設定後時間について）
上記実施形態における特定時間は３０秒に定められている。また、所定時間は３分に定められている。また、第１設定後時間は、設定後時間のうちで最も短い１秒に定められ、第２設定後時間は、設定後時間のうちで最も長い２．５秒に定められ、第３設定後時間は、１．５秒に定められている。しかし、特定時間、所定時間、および第１〜第３設定後時間は、所定時間＞特定時間＞第１〜第３設定後時間となるように定められているものであれば、例示した時間に限るものではない。
【０２９７】
また、特定時間は、表示している管理項目の種類に応じて異なる時間が定められているものであってもよい。例えば、管理項目のうち「設定変更履歴」については、その他の管理項目よりも長い時間が特定時間として定められているものであってもよい。これにより、比較的余裕を持って管理者が設定変更履歴を確認できる。また、所定時間は、表示している遊技項目の種類に応じて異なる時間が定められているものであってもよい。例えば、遊技項目のうち「役構成」については、その他の遊技項目よりも長い時間が所定時間として定められているものであってもよい。これにより、比較的余裕を持って遊技者が役構成の各種表示を確認できる。また、第１〜第３設定後時間は、共通の時間が定められているものであってもよい。
【０２９８】
また、管理者メニュー画面においては、特定時間が経過するまでの残り時間を表示するようにしてもよい。同様に、遊技者メニュー画面においては、所定時間が経過するまでの残り時間を表示するようにしてもよい。これにより、操作者が表示を継続させたいときには、最適なタイミングで操作することができ、操作者の利便性を向上させることができる。
【０２９９】
（その他）
上記実施形態においては、管理者メニュー状態および遊技者メニュー状態において操作を受け付ける操作手段として、決定スイッチ８１ａと、左選択スイッチ８１ｂ、右選択スイッチ８１ｃ、上選択スイッチ８１ｄ、および下選択スイッチ８１ｅとを備える演出操作部８１を例示した。しかし、管理者メニュー状態および遊技者メニュー状態において操作を受け付ける操作手段は、これに限らず、２つのスイッチ（決定用のスイッチと選択用のスイッチ）から構成されるものであってもよい。また、遊技の進行において用いる操作手段（例えば、スタートスイッチ１９、ストップスイッチ２１Ｌ〜２１Ｒなど）を兼用するものであってもよい。
【０３００】
また、管理者メニュー画面、遊技者メニュー画面、図２２（ｃ）および図２２（ｄ）などに示した画面においては、いずれのスイッチ（操作手段）を操作すべきかを管理者や遊技者に対して案内する案内表示を行ってもよい。図２５（ａ）は、管理者メニュー画面の左下部において案内表示を行っている例を示す図である。図２５（ｂ）は、遊技者メニュー画面の左下部において案内表示を行っている例を示す図である。案内表示としては、図２５（ａ）および（ｂ）各々に示すように、演出操作部８１を模した画像（以下、操作部模擬画像という）が表示されることが好ましい。また、演出操作部８１のいずれのスイッチが決定操作となり、いずれのスイッチが選択操作となるかを案内したり、反転表示させて強調したりするようにしてもよい。このようにすることでいずれのスイッチを操作すべきかを管理者や遊技者に案内することができ、不要なスイッチを操作してしまうことを防止できる。また、操作部模擬画像は、管理者メニュー画面、遊技者メニュー画面、図２２（ｃ）および図２２（ｄ）などに示した画面のいずれにおいても、共通または同様の画像としてもよい。このように共通または同様の画像を用いることで、処理の負荷やデータ量を削減できるとともに、遊技者や管理者に対して異なる演出操作部が存在するのではないかという誤認を招くことを防止できる。
【０３０１】
上記実施形態においては、サブＣＰＵ７１側のエラー判定処理においてエラーが発生していると判定したときに、管理者メニュー画面および遊技者メニュー画面のいずれを表示しているときであってもエラー報知を優先する例について説明した。しかし、サブＣＰＵ７１により駆動制御される演出装置の動作チェックなどを検証するための検査モード中においては、サブＣＰＵ７１側のエラー判定処理においてエラーが発生していると判定したときであってもエラー報知せずに、検査モード中の表示を継続するようにしてもよい。これにより、エラー報知により検査が妨げられてしまうことを防止できる。
【０３０２】
上記実施形態においては、遊技項目として「ナビボイス」「コスチューム」「壁紙」等を例示した。しかし、遊技項目は、これに限らず、これらに替えてあるいは加えて、例えば、ＢＧＭを選択する「ＢＧＭ選択」、ＲＢＢや小役の当選履歴あるいは入賞履歴を表示する「遊技履歴」などが定められているものであってもよく、遊技者が確認できたり、設定できたりする項目であればよい。
【０３０３】
上記実施形態における遊技項目のうちの「演出カスタマイズ」は、遊技者メニュー画面を経由して各種設定できる例について説明したが、これに限らず、カスタマイズ可能な項目のうち特定の項目については、遊技者メニュー画面を経由しなくても変更して設定できるようにしてもよい。例えば、カスタマイズ可能な項目のうち「壁紙」項目等は、遊技者メニュー画面を経由しなくても、遊技待機中の左選択スイッチ８１ｂと右選択スイッチ８１ｃの操作、または上選択スイッチ８１ｄと下選択スイッチ８１ｅの操作によって変更して設定できるようにしてもよい。図２５（ｃ）は、遊技待機中の液晶表示器２７の表示状態を示す図であり、図２５（ｄ）は、遊技待機中において壁紙が変更設定されたときの液晶表示器２７の表示状態を示す図である。遊技待機中（遊技待機中となってから所定時間経過したとき）になると、図２５（ｃ）に示すように、図２５（ａ）などを用いて説明したように、案内表示として操作部模擬画像が表示されるとともに、「左右ボタンで壁紙変更」といったメッセージが表示される。遊技待機中における演出カスタマイズに用いる操作ボタンは、左右などの一の方向と対になっている他の方向同士のスイッチとした方が遊技者にとって分かり易い。なお、左右ボタンに限らず、上下ボタンであってもよい。また、案内表示を行ったときには、図２５（ｃ）に吹き出しで示すように「壁紙を変更できます」といった変更可能であることを特定可能な音（以下、変更可能演出）を出力する方が好ましい。これにより、左右ボタンを操作することにより壁紙が変更可能であることを遊技者に報知することができる。
【０３０４】
また、左右ボタンが操作されると、図２５（ｄ）に示すように、壁紙の画像が変更設定される。図２５（ｄ）における斜線は、図２５（ｃ）の壁紙と異なる画像であることを示す。また、各種壁紙を変更するためにスイッチを操作したときには、図２５（ｄ）に吹き出しで示すように「壁紙を変更しました」といった、変更されたことを特定可能な音（以下、変更特定演出）を出力する方が好ましい。これにより、遊技者は、壁紙を変更するための操作である変更操作が反映されたことを認識することができる。さらに、変更操作をする度に変更特定演出を行うようにしてもよいが、これに限らず、一の変更操作をしてから一定時間が経過するまでの期間内においては、仮にさらなる変更操作がされたとしても変更特定演出は行わず、一定時間経過後の変更操作で再度変更特定演出を行い、また一定時間経過するまでに変更操作をしても変更特定演出を行わないようにしてもよい。これにより、変更操作の度に変更特定操作が出力されるといった煩わしさを低減することができる。なお、特定の項目については、遊技待機中であれば、案内表示が行われていないときであっても、左右ボタンなどの所定のボタンを操作することによりカスタマイズ可能となるものであってもよい。
【０３０５】
上記実施形態では、可変表示部１３が３つの左可変表示列１０Ｌ〜右可変表示列１０Ｒを備える例について説明するが、これに限らず、１つの可変表示列を備える遊技機であっても、４つ以上の可変表示列を備える遊技機であってもよい。また、可変表示部１３は、リール１１Ｌ〜１１Ｒにより構成される例を示したが、これに限らず、液晶表示器や７セグメントＬＥＤなどの表示装置により構成されるものであってもよい。また、可変表示部１３に対して入賞ラインとして１本のみ設定されている例について説明したが，これに限らず、複数の入賞ラインが設定されているものであってもよい。
【符号の説明】
【０３０６】
１  スロットマシン、１１Ｌ，１１Ｍ，１１Ｒ  リール、１４Ｌ，１４Ｍ，１４Ｒ  リールモータ、２１Ｌ，２１Ｍ，２１Ｒ  ストップスイッチ、２７  液晶表示器、６３  メイン制御基板、７３  サブ制御基板。
【図１】
2020156805.tif 000003
【図２】
2020156805.tif 000004
【図３】
2020156805.tif 000005
【図４】
2020156805.tif 000006
【図５】
2020156805.tif 000007
【図６】
2020156805.tif 000008
【図７】
2020156805.tif 000009
【図８】
2020156805.tif 000010
【図９】
2020156805.tif 000011
【図１０】
2020156805.tif 000012
【図１１】
2020156805.tif 000013
【図１２】
2020156805.tif 000014
【図１３】
2020156805.tif 000015
【図１４】
2020156805.tif 000016
【図１５】
2020156805.tif 000017
【図１６】
2020156805.tif 000018
【図１７】
2020156805.tif 000019
【図１８】
2020156805.tif 000020
【図１９】
2020156805.tif 000021
【図２０】
2020156805.tif 000022
【図２１】
2020156805.tif 000023
【図２２】
2020156805.tif 000024
【図２３】
2020156805.tif 000025
【図２４】
2020156805.tif 000026
【図２５】
2020156805.tif 000027
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技の結果に応じて特典を付与可能な遊技機であって、
所定の演出を実行する演出手段と、
前記演出手段による演出効果の度合いを複数の度合いのうちから設定する度合設定手段と、
前記度合設定手段により設定された度合いで前記演出手段を制御する演出制御手段と、
前記演出手段を制御する度合いを遊技者による操作に応じて設定可能な第１設定可能状態と、前記演出手段を制御する度合いを管理者による操作に応じて設定可能な第２設定可能状態とを含む複数種類の状態のうちのいずれかに制御する状態制御手段とを備え、
前記度合設定手段は、前記第２設定可能状態においては、選択操作に応じて前記演出手段を制御する度合いを選択し、当該選択している度合いを設定操作に応じて設定し、
前記設定操作は、第１設定操作と、当該第１設定操作とは異なる第２設定操作とを含み、
前記状態制御手段は、前記第２設定可能状態において前記度合いを設定する契機となった設定操作が前記第１設定操作であるときには当該度合いを設定した後において、前記第１設定可能状態への移行を許容するか否かを特定するための許否情報を管理者による操作に応じて設定可能な許否設定状態とする一方、前記設定操作が前記第２設定操作であるときには前記許否設定状態とすることなく当該第２設定可能状態を終了する、遊技機。